(57)【特許請求の範囲】
【請求項１】
板状部材差込み部が設けられて配線基板の面上に配されるハウジングと、
該ハウジングに上記配線基板の面に沿うことになる方向をもって配列配置されて、上記配線基板に設けられた配線端子に連結される状態におかれ、配線板状部材が上記板状部材差込み部を通じて上記ハウジングに差し込まれたとき、上記ハウジングに差し込まれた配線板状部材における複数の接続端子部に接触接続される複数のコンタクトと、
上記ハウジングにおける上記板状部材差込み部が設けられた部分及び該部分の周囲部分を除く他の部分の表面の大部分もしくは一部分を覆うものとして配されて、上記配線基板に設けられた接地端子に連結される状態におかれ、上記ハウジング内に伸びて該ハウジングに上記板状部材差込み部を通じて差し込まれた配線板状部材を係止する係止状態をとるロック部が形成された導電性シェルと、
上記ハウジングと一体的に形成されて変位可能に設けられた操作部と該操作部の一端部から突出して上記ロック部に係合する押圧部とを有したロック解除部と、
を備えて成り、
上記ロック解除部の操作部が、上記ハウジングにおける上記複数のコンタクトの配列方向の端部から伸びて上記ハウジングにおける上記板状部材差込み部が設けられた部分の周囲部分から上記ハウジング外に突出するものとされたもとで、上記複数のコンタクトの配列方向に沿う方向に弾性変位可能とされ、
上記ハウジングにおける上記複数のコンタクトの配列方向の端部と上記ロック解除部の操作部との連結部分が上記導電性シェルによって覆われており、
上記ロック部が上記係止状態をとるもとで、上記導電性シェルによって覆われた上記連結部分から伸びる上記ロック解除部の操作部が上記複数のコンタクトの配列方向に沿う方向に弾性変位せしめられるとき、上記ロック解除部の押圧部が、上記ロック部を押圧しつつ移動して、該ロック部に上記配線板状部材に対する係止を解除させることを特徴とするコネクタ装置。
【請求項２】
上記ロック部が、上記ハウジング内において、該ハウジングに上記板状部材差込み部を通じて差し込まれた配線板状部材に設けられた係合部に係合して該配線板状部材を係止する状態をとる係止部と、該係止部を変位可能に支持する弾性アーム部と、該弾性アーム部から突出して上記複数のコンタクトの配列方向に沿う方向に対して傾斜する傾斜面部を形成する受圧部とを備え、該受圧部が形成する傾斜面部に上記ロック解除部の押圧部が当接係合することを特徴とする請求項１記載のコネクタ装置。
【請求項３】
上記ロック部の係止部が上記ハウジングに上記板状部材差込み部を通じて差し込まれた配線板状部材に設けられた係合部に係合したもとで、上記ロック解除部の操作部が上記複数のコンタクトの配列方向に沿う方向に変位せしめられるとき、上記ロック解除部の押圧部が、上記ロック部の受圧部が形成する傾斜面部を押圧しつつ上記複数のコンタクトの配列方向に沿う方向に移動し、上記ロック部に上記複数のコンタクトの配列方向に直交する方向の変位を生じさせて上記係止部を上記複数のコンタクトの配列方向に直交する方向に変位させ、該係止部が上記配線板状部材に設けられた係合部との係合を解除することを特徴とする請求項２記載のコネクタ装置。
【請求項４】
上記ロック部の弾性アーム部が、各々が上記導電性シェルから折り返して伸びる所定の幅を有した帯状板体を成す一対の第１及び第２の折返し部を含んで構成され、上記第１の折返し部に上記係止部と上記受圧部とが設けられ、上記第１の折返し部が成す帯状板体の幅が上記第２の折返し部が成す帯状板体の幅以下に選定されることを特徴とする請求項３記載のコネクタ装置。
【請求項５】
上記ロック部の係止部が、上記ハウジングへの上記板状部材差込み部を通じた配線板状部材の差込み方向に沿って上昇傾斜する傾斜面を形成しており、該傾斜面を形成する部分を上記配線板状部材に設けられた係合部に係合させることを特徴とする請求項２記載のコネクタ装置。
【請求項６】
上記導電性シェルが、上記ロック部に加えて、上記ロック解除部の操作部における上記押圧部が突出する一端部の反対側となる他端部に当接し、上記操作部に対する上記複数のコンタクトの配列方向に沿う方向の変位に際しての案内を行うとともに、上記ロック部を押圧する上記操作部の押圧部が上記ロック部から受ける反力を受け止める受け部が形成されたものとされることを特徴とする請求項１記載のコネクタ装置。
【請求項７】
上記ロック部が、上記導電性シェルにおける上記複数のコンタクトの配列方向の両端部の夫々に形成されるとともに、上記ロック解除部が、上記ハウジングにおける上記板状部材差込み部が設けられた部分の周囲部分における上記複数のコンタクトの配列方向の両端部の夫々に設けられることを特徴とする請求項１記載のコネクタ装置。
【請求項８】
上記導電性シェルが、上記ロック部に加えて、上記導電性シェル内へと突出して上記ロック解除部の操作部に係合し、該操作部が上記複数のコンタクトの配列方向に沿う方向に変位せしめられたとき、該操作部の変位前の位置への復元に寄与する弾性力を上記操作部に作用させる弾性片部が形成されたものとされることを特徴とする請求項１記載のコネクタ装置。
【請求項９】
上記弾性片部が、屈曲片持板状部を成すことを特徴とする請求項８記載のコネクタ装置。
【請求項１０】
上記ロック解除部が、上記弾性片部が係合する係合受け部が上記操作部に形成されたものとされることを特徴とする請求項８記載のコネクタ装置。
【請求項１１】
上記係合受け部が、溝状部を成すことを特徴とする請求項１０記載のコネクタ装置。
【請求項１２】
上記ロック部及び上記弾性片部が、上記導電性シェルにおける上記複数のコンタクトの配列方向の両端部の夫々に形成されるとともに、上記ロック解除部が、上記ハウジングにおける上記板状部材差込み部が設けられた部分の周囲部分における上記複数のコンタクトの配列方向の両端部の夫々に設けられることを特徴とする請求項８記載のコネクタ装置。
【請求項１３】
上記ハウジングが、該ハウジングにおける上記板状部材差込み部が設けられた部分の周囲部分における上記ロック解除部の操作部の近傍となる位置に、上記操作部の上記複数のコンタクトの配列方向に沿う方向の変位を規制する変位規制部が上記ハウジング外に突出するものとして設けられたものとされることを特徴とする請求項１記載のコネクタ装置。
【発明の詳細な説明】
【技術分野】
【０００１】
本願の特許請求の範囲に記載された発明は、フレキシブル印刷配線基板（ＦＰＣ）やフレキシブル平板状ケーブル（ＦＦＣ）等の配線板状部材が装着されるもとで、装着された配線板状部材に設けられた接続端子部に接触接続されるコンタクトが配列配置され、装着された配線板状部材をその抜脱を阻止すべく係止するロック部及びロック部による配線板状部材に対する係止を解除するロック解除部を備えたコネクタ装置に関する。
【背景技術】
【０００２】
各種の電子機器に実装される比較的小型なフレキシブル印刷配線基板やフレキシブル平板状ケーブル等の配線板状部材は、各種の電気部品が取り付けられる主配線基板への取付けが、当該主配線基板に電気的接続がなされて固定されるコネクタ装置が用いられて行われることが多いものとされる。このような配線板状部材の主配線基板への取付けにあたって用いられるコネクタ装置は、配線板状部材に設けられた接続端子部に接触接続される導電性のコンタクトを有していて、そのコンタクトを介して、配線板状部材に設けられた接続端子部を主配線基板に設けられた配線端子に電気的に接続する。
【０００３】
従来提案されている、例えば、フレキシブル印刷配線基板とされる配線板状部材の主配線基板への取付けに用いられるコネクタ装置は、配線板状部材が差し込まれる差込み部が設けられたものとされて、主配線基板に配される、例えば、絶縁材料によって形成されたハウジングを有したものとされる。そして、そのハウジング内に配列配置されて設けられて主配線基板に設けられた配線端子に連結され、配線板状部材が差込み部を通じてハウジングに差し込まれたとき、その配線板状部材に設けられた複数の接続端子部に夫々対応するものとなる複数のコンタクトと、外部からの電磁波ノイズ対策のため、即ち、外部からの電磁波ノイズに対するシールド効果を得るため、ハウジングを部分的もしくは全体的に覆うものとして配されて主配線基板に設けられた接地端子に連結される導電性シェルと、ハウジングに対して回動可能に設けられ、複数のコンタクトの夫々に係合して、回動せしめられるとき複数のコンタクトの夫々における作動部を変位させ、それにより、複数のコンタクトに、複数の信号接続端子部に夫々接触接続された状態、あるいは、複数の信号接続端子部との接触接続から解放された状態をとらせるアクチュエータとが備えられる。そして、複数のコンタクトが配線板状部材に設けられた複数の接続端子部に夫々接触接続された状態におかれることにより、配線板状部材が主配線基板との電気的接続状態におかれる。
【０００４】
さらに、従来提案されている配線板状部材の主配線基板への取付けに用いられるコネクタ装置の中には、上述のようなハウジングを有し、上述のような複数のコンタクトと導電性シェルとは備えられているが、ハウジングに対して回動可能に設けられるアクチュエータは備えられていず、配線板状部材が差込み部を通じてハウジングに差し込まれたとき、自動的に、ハウジング内に設けられた複数のコンタクトが差し込まれた配線板状部材に設けられた複数の接続端子部に夫々接触接続されるものもある。斯かるものにあっては、配線板状部材が差込み部を通じてハウジングに適正に差し込まれるだけで、配線板状部材が主配線基板との電気的接続状態におかれる。
【０００５】
このような従来提案されているコネクタ装置にあっては、ハウジングに対して回動可能に設けられるアクチュエータが備えられたもの及び斯かるアクチュエータが備えられていないもののいずれの場合にも、例えば、フレキシブル印刷配線基板とされる配線板状部材が、主配線基板に配されたハウジングに差込み部を通じて差し込まれて、ハウジング内に配された複数のコンタクトが、ハウジング内に差し込まれた配線板状部材における複数の接続端子部に夫々接触接続され、それにより、配線板状部材が主配線基板との電気的接続状態におかれるにあたり、配線板状部材がハウジングから不所望に抜脱するような事態が回避されなくてはならない。当然のことながら、ハウジング内に配された複数のコンタクトがハウジングに差し込まれた配線板状部材における複数の接続端子部に夫々接触接続された状態が適正に維持されるためには、ハウジングに差込み部を通じて差し込まれた配線板状部材が、その状態を安定に維持することができ、ハウジングから不所望に抜脱されるような事態をまねかないものとされることが必要とされるのである。
【０００６】
そのため、上述のような、ハウジングを有し、複数のコンタクトと導電性シェルとハウジングに対して回動可能とされるアクチュエータとが備えられたコネクタ装置に属するものであって、ハウジングに差込み部を通じて差し込まれた配線板状部材に係合して、当該配線板状部材のハウジングからの不所望な抜脱を阻止する係止手段を備えたコネクタ装置が従来提案されている（例えば、特許文献１参照。）。また、上述のような、ハウジングを有し、複数のコンタクトと導電性シェルとは備えられているが、ハウジングに対して回動可能とされるアクチュエータは備えられていないコネクタ装置に属するものであって、ハウジングに差込み部を通じて差し込まれた配線板状部材に係合して、当該配線板状部材のハウジングからの不所望な抜脱を阻止する係止手段を備えたコネクタ装置も従来提案されている（例えば、特許文献２及び特許文献３参照。）。
【０００７】
特許文献１に示されるコネクタ装置にあっては、導電性シェル（シールドプレート１１）の一部にシーソーのように変位することができる係止手段（ロック部１１ｃ）が形成されており、この係止手段には、導電性シェルの内側に向かって屈曲した係止端部（爪部１１ｄ）が設けられている。そして、係止手段は、ハウジング（ハウジング３）に対して回動可能とされたアクチュエータ（アクチュエータ９）の回動操作に応じて変位する。
【０００８】
このようなもとで、配線板状部材（ＦＰＣ２１）がハウジング内の受容空間（ＦＰＣ受容空間３４）に差し込まれた後に、アクチュエータの第１の方向への回動操作が行われると、ハウジング内に配された複数のコンタクト（第１コンタクト５，第２コンタクト６）が、アクチュエータに形成されたカム（カム部９２，９３）によって変位せしめられ、ハウジングに差し込まれた配線板状部材における複数の接続端子部に夫々接触接続されるとともに、係止手段が、アクチュエータに形成されたカム（カム部９４）によって変位せしめられ、それに設けられた係止端部をハウジング内に差し込まれた配線板状部材に設けられた係合部（切欠２１ａ）に係合させる。それにより、ハウジングに差し込まれた配線板状部材のハウジングからの不所望な抜脱が阻止される。
【０００９】
その後、係止手段に設けられた係止端部がハウジングに差し込まれた配線板状部材に設けられた係合部に係合したもとで、アクチュエータの第１の方向とは逆の第２の方向への回動操作が行われると、アクチュエータに形成されたカム（カム部９４）が、係止手段に、それに設けられた係止端部の配線板状部材に設けられた係合部との係合を解除する状態をとることを許す。それにより、ハウジングに差し込まれた配線板状部材が、ハウジングから抜脱され得る状態におかれる。
【００１０】
また、特許文献２に示されるコネクタ装置にあっては、ハウジング（ハウジング本体２）にそれに対して回動可能に設けられた導電性シェル（シェル４）が備えられている。そして、導電性シェルの一部に板ばね状の係止手段（足部４６）が形成されており、この係止手段の先端部に導電性シェルの内側に向かう係止突起（係止突起４４）が設けられている。
【００１１】
このようなハウジングに対して回動可能とされた導電性シェルが、その全体がハウジングに近接することになる、ハウジングに対して伏した位置をとるもとで、配線板状部材（ＦＰＣ）がハウジングに差込み部（挿入口２１）を通じて差し込まれると、ハウジング内に配された複数のコンタクト（コンタクト３（上部コンタクト３１，下部コンタクト３２））が、ハウジングに差し込まれた配線板状部材における複数の接続端子部に夫々接触接続されるとともに、係止手段に設けられた係止突起が、ハウジングに差し込まれた配線板状部材に設けられた係合部（ＦＰＣ係合孔ＦＰＣ２）に係合する。それにより、ハウジングに差し込まれた配線板状部材のハウジングからの不所望な抜脱が阻止される。
【００１２】
その後、係止手段に設けられた係止突起がハウジングに差し込まれた配線板状部材に設けられた係合部に係合したもとで、ハウジングに対して回動可能とされた導電性シェルが、ハウジングに対して起き上がった位置をとるべく回動操作されると、導電性シェルに形成された係止手段も導電性シェルに伴って変位し、それに設けられた係止突起が配線板状部材に設けられた係合部との係合を解除する。それにより、ハウジングに差し込まれた配線板状部材が、ハウジングから抜脱され得る状態におかれる。
【００１３】
特許文献１に示されるもののような、係止手段がハウジングに対して回動可能とされたアクチュエータの回動操作に応じて変位するものとされた従来のコネクタ装置の場合には、ハウジングに対して回動可能とされたアクチュエータを備えることが必要とされ、そのことが、コネクタ装置の製造コストを嵩ませる要因となる。それに加えて、係止手段に配線板状部材に対する係止状態あるいは係止解除状態をとらせるにあたっては、アクチュエータをハウジングに対して回動させる操作が不可欠とされ、斯かる操作を行うための不所望なスペースをコネクタ装置の周囲に設けることが必要とされる。さらに、導電性シェルが、ハウジングの上面（主配線基板に対接する面に対向する他の面）と複数のコンタクトの配列方向における側端面のみを覆うものとされていて、外部からの電磁波ノイズに対するシールド効果を効果的に得ることが困難とされる虞がある。
【００１４】
また、特許文献２に示されるもののような、ハウジングに対して回動可能とされた導電性シェルが備えられ、その導電性シェルの一部に係止手段が形成された従来のコネクタ装置の場合には、導電性シェルがハウジングに対して回動可能とされるので、コネクタ装置の主配線基板への固定のために導電性シェルを利用することができず、別途、コネクタ装置を主配線基板に固定するための部材（ホールドダウン部材）を備えることが必要とされ、そのことが、コネクタ装置の製造コストを嵩ませる要因となる。さらに、斯かるコネクタ装置にあっても、導電性シェルが、ハウジングの上面（主配線基板に対接する面に対向する他の面）と複数のコンタクトの配列方向における側端面のみを覆うものとされていて、外部からの電磁波ノイズに対するシールド効果を効果的に得ることが困難とされる虞がある。
【００１５】
これに対して、特許文献３に示されるコネクタ装置にあっては、ハウジング(11)の外面部を部分的に覆うものとして配された導電性シェル(14)に、ハウジング内に伸びて、ハウジングにそれに設けられた板状部材差込み部(12)を通じて差し込まれた配線板状部材であるフレキシブル印刷配線基板(40)を係止する状態をとる係止手段（ロック部(20)) が形成されている。また、ハウジングには、それと一体的に形成されて移動可能とされ、一端部が導電性シェルの外方に突出するとともに、他端部が係止手段に係合する係止解除手段（ロック解除部(30)) が設けられている。
【００１６】
係止手段は、ハウジングに差し込まれた配線板状部材における係合部(43,44) に係合して配線板状部材を係止する係止部(23)と係止部を変位可能に支持する弾性ア−ム部(22)とを備えており、弾性ア−ム部に係止解除手段の他端部が係合する。
【００１７】
係止解除手段の一端部は、ハウジングの上面（コネクタ装置が固定される主配線基板に対接する面である下面に対向する面）側において、ハウジングの内部からハウジングの上面を覆う導電性シェルの外方に突出し、従って、ハウジングからその上方に突出するのである。
【００１８】
そして、配線板状部材がハウジングに板状部材差込み部を通じて差し込まれたとき、配線板状部材における係合部に係止手段における係止部が係合して配線板状部材を係止し、それにより、ハウジングに差し込まれた配線板状部材のハウジングからの不所望な抜脱が阻止される。
【００１９】
その後、ハウジングからその上方に突出した係止解除手段の一端部をハウジング内に向けて、即ち、ハウジングの下面に向けて押圧する下方への押圧操作が行われると、係止解除手段の他端部が係止手段における弾性ア−ム部に係合してその弾性ア−ム部を変位させ、それに伴って、弾性ア−ム部により支持された係止部が配線板状部材における係合部との係合を解除する位置へと変位せしめられる。それにより、係止手段に形成された係止部が配線板状部材における係合部との係合から解放され、ハウジングに差し込まれた配線板状部材がハウジングから抜脱され得る状態におかれる。
【００２０】
このような特許文献３に示されるもののような、導電性シェルにハウジング内に伸びて配線板状部材を係止する状態をとる係止手段が形成されるとともに、ハウジングにそれと一体的に形成されて移動可能とされた係止解除手段が設けられる従来のコネクタ装置によれば、上述の特許文献１に示されるもののような、ハウジングに対して回動可能とされたアクチュエータが備えられ、導電性シェルの一部に係止手段が形成された従来のコネクタ装置、あるいは、上述の特許文献２に示されるもののような、ハウジングに対して回動可能とされた導電性シェルが備えられ、その導電性シェルの一部に係止手段が形成された従来のコネクタ装置が、夫々伴う不都合あるいは問題点は解消される。
【先行技術文献】
【特許文献】
【００２１】
【特許文献１】特開２００８−５２９９３号公報  （段落００１６，００１７，００３３〜００４３、図１，図５，６）
【特許文献２】特開２００８−１９２５７４号公報  （段落００２６，００２７，００３１〜００３４、図１〜６）
【特許文献３】特開２０１１−４０２４６号公報（１１〜１６頁、図５〜１１，１５〜１７）
【発明の概要】
【発明が解決しようとする課題】
【００２２】
上述のような、フレキシブル印刷配線基板等の配線板状部材の主配線基板への取付けに用いられるコネクタ装置であって、導電性シェルに、それからハウジング内に伸びて、ハウジング内に差し込まれた配線板状部材を係止する状態をとる係止手段が形成されるとともに、ハウジングにそれと一体的に形成されて移動可能とされた係止解除手段が設けられる従来のコネクタ装置にあっては、ハウジングにそれと一体的に形成された係止解除手段の一端部が、ハウジングからその上方に突出することになり、係止手段による配線板状部材に対する係止を解除するにあたっては、ハウジングからその上方に突出した係止解除手段の一端部に、下方への押圧操作を加えることが必要とされる。そのため、コネクタ装置についての、係止解除手段の一端部をも含めたハウジングの上面及び下面を貫く方向の寸法、即ち、厚み方向の寸法を十分に低減させることに困難性が生じ、主配線基板に取り付けられる各種電子部品の薄型化に支障を来す虞がある。
【００２３】
また、上述の従来のコネクタ装置にあっては、それが主配線基板に固定されたもとで、係止手段による配線板状部材に対する係止を解除するための、係止解除手段の一端部に対する下方への押圧操作が要求されるので、その上方に、係止解除手段の一端部に対する下方への押圧操作のためのスペースが確保されることが必要とされる。従って、主配線基板に固定されたときその上方に必要なスペースを得ることができないことになる状況のもとにおいては、当該コネクタ装置を使用することができない。
【００２４】
斯かる点に鑑み、本願の特許請求の範囲に記載された発明は、フレキシブル印刷配線基板やフレキシブル平板状ケーブル等とされる配線板状部材の他の配線基板への取付けに用いられる、板状部材差込み部が設けられたハウジングと、ハウジングに配列配置されて設けられる複数のコンタクトと、ハウジングを部分的に覆う導電性シェルとを備えたコネクタ装置であって、ハウジングに対して回動可能とされるアクチュエータ等が不要とされ、また、導電性シェルをハウジングに対して回動可能とする必要がなく、それにより、部品点数を比較的少として製造コストの低減を図ることができ、さらに、厚み方向の寸法の低減を十分に図ることができ、しかも、他の配線基板に固定されたもとで、その上方に下方への押圧操作のためのスペースの確保を必要とすることなく、ハウジングに板状部材差込み部を通じて差し込まれた配線板状部材に対するハウジングからの不所望な抜脱を阻止するための係止及びその係止の解除を、確実に行えることになるものを提供する。
【課題を解決するための手段】
【００２５】
本願の特許請求の範囲における請求項１から請求項１３までのいずれかに記載された発明（以下、本願発明という。）に係るコネクタ装置は、板状部材差込み部が設けられて配線基板の面上に配されるハウジングと、ハウジングにそれが配される配線基板の面に沿うことになる方向をもって配列配置されて、その配線基板に設けられた配線端子に連結される状態におかれ、配線板状部材が板状部材差込み部を通じてハウジングに差し込まれたとき、ハウジングに差し込まれた配線板状部材における複数の接続端子部に接触接続される複数のコンタクトと、ハウジングにおける板状部材差込み部が設けられた部分及びその周囲部分を除く他の部分の表面の大部分もしくは一部分を覆うものとして配されて、ハウジングが配される面を有する配線基板に設けられた接地端子に連結される状態におかれ、ハウジング内に伸びてハウジングに板状部材差込み部を通じて差し込まれた配線板状部材を係止する係止状態をとるロック部が形成された導電性シェルと、ハウジングと一体的に形成されて変位可能に設けられた操作部と操作部の一端部から突出してロック部に係合する押圧部とを有したロック解除部とを備えて構成される。そして、ロック解除部の操作部が、ハウジングにおける複数のコンタクトの配列方向の端部から伸びてハウジングにおける板状部材差込み部が設けられた部分の周囲部分からハウジング外に突出するものとされたもとで、複数のコンタクトの配列方向に沿う方向に弾性変位可能とされ、ハウジングにおける複数のコンタクトの配列方向の端部とロック解除部の操作部との連結部分が導電性シェルによって覆われており、ロック部が上述の係止状態をとるもとで、導電性シェルによって覆われた上述の連結部分から伸びるロック解除部の操作部が複数のコンタクトの配列方向に沿う方向に弾性変位せしめられるとき、ロック解除部の押圧部が、ロック部を押圧しつつ移動して、ロック部に配線板状部材に対する係止を解除させることを特徴とするものとされる。
【００２６】
特に、本願の特許請求の範囲における請求項２に記載された本願発明に係るコネクタ装置にあっては、ロック部が、ハウジング内において、ハウジングに板状部材差込み部を通じて差し込まれた配線板状部材に設けられた係合部に係合して配線板状部材を係止する状態をとる係止部と、係止部を変位可能に支持する弾性アーム部と、弾性アーム部から突出して複数のコンタクトの配列方向に沿う方向に対して傾斜する傾斜面部を形成する受圧部とを備え、受圧部が形成する傾斜面部にロック解除部の押圧部が当接係合する。
【００２７】
さらに、本願の特許請求の範囲における請求項８に記載された本願発明に係るコネクタ装置にあっては、ハウジングの表面を部分的に覆う導電性シェルが、ロック部に加えて、導電性シェル内へと突出してロック解除部の操作部に係合し、その操作部が複数のコンタクトの配列方向に沿う方向に変位せしめられたとき、操作部の変位前の位置への復元に寄与する弾性力を操作部に作用させる弾性片部が形成されたものとされる。
【００２８】
上述のような本願発明に係るコネクタ装置にあっては、配線板状部材が配線基板の面上に配されるハウジングにそれに設けられた板状部材差込み部を通じて差し込まれると、ハウジング内に配線基板の面に沿うことになる方向をもって配列配置された複数のコンタクトが、差し込まれた配線板状部材における複数の接続端子部に接触接続されるとともに、導電性シェルに形成されたロック部が、ハウジング内において、差し込まれた配線板状部材を係止する係止状態をとる。それにより、配線板状部材のハウジングからの不所望な抜脱が阻止される。そして、ロック部が配線板状部材を係止する係止状態におかれたもとで、ハウジングと一体的に形成されたロック解除部における、ハウジングにおける板状部材差込み部が設けられた部分の周囲部分からハウジング外に突出する操作部が、複数のコンタクトの配列方向に沿う方向に変位せしめられると、操作部の一端部から突出する押圧部が、ロック部を押圧しつつ移動して、ロック部に配線板状部材に対する係止を解除させる。それにより、配線板状部材がハウジングから抜脱され得る状態におかれる。
【００２９】
斯かるもとで、ロック部は、例えば、本願の特許請求の範囲における請求項２に記載された本願発明に係るコネクタ装置の場合のように、ハウジング内において、ハウジングに板状部材差込み部を通じて差し込まれた配線板状部材に設けられた係合部に係合して配線板状部材を係止する状態をとる係止部と、係止部を変位可能に支持する弾性アーム部と、弾性アーム部から突出して複数のコンタクトの配列方向に沿う方向に対して傾斜する傾斜面部を形成する受圧部とを備えたものとされる。そして、受圧部が形成する傾斜面部にロック解除部の押圧部が当接係合する。
【００３０】
このようなロック部が備えられたもとにあっては、例えば、その係止部が配線板状部材に設けられた係合部に係合したもとで、ロック解除部の操作部が複数のコンタクトの配列方向に沿う方向に変位せしめられると、ロック解除部の押圧部が、ロック部の受圧部が形成する傾斜面部を押圧しつつ複数のコンタクトの配列方向に沿う方向に移動し、ロック部に複数のコンタクトの配列方向に直交する方向の変位を生じさせて係止部を複数のコンタクトの配列方向に直交する方向に変位させる。それにより、係止部が配線板状部材に設けられた係合部との係合を解除する。
【００３１】
また、ハウジングの表面を部分的に覆う導電性シェルは、例えば、本願の特許請求の範囲における請求項８に記載された本願発明に係るコネクタ装置の場合のように、ロック部に加えて、導電性シェル内へと突出してロック解除部の操作部に係合する弾性片部が形成されたものとされる。そして、弾性片部は、ロック解除部の操作部が複数のコンタクトの配列方向に沿う方向に変位せしめられたとき、ロック解除部の操作部にその変位前の位置への復元に寄与する弾性力を作用させる。
【発明の効果】
【００３２】
本願発明に係るコネクタ装置においては、上述のように、ハウジングにそれに設けられた板状部材差込み部を通じて差し込まれた配線板状部材に対しての、導電性シェルに形成されたロック部による係止、及び、ハウジングに一体的に設けられたロック解除部によるロック部による係止の解除をなすにあたり、例えば、ハウジングに対して回動可能とされるアクチュエータを設けることが不要とされ、それに加えて、導電性シェルをハウジングに対して回動可能とする必要がなく、ハウジングに対して固定された導電性シェルをコネクタ装置の配線基板への固定のために利用することができて、別途、コネクタ装置を配線基板に固定するための部材を備えることが不要とされる。その結果、本発明に係るコネクタ装置は、部品点数を比較的少として製造コストの低減を効果的に図ることができるものとなる。
【００３３】
また、配線板状部材をハウジングにそれに設けられた板状部材差込み部を通じて差し込むだけで、配線板状部材に対しての導電性シェルに形成されたロック部による係止を行うことができ、それとともに、配線板状部材に対してのロック部による係止の解除を、ハウジングにおける板状部材差込み部が設けられた部分の周囲部分からハウジング外に突出するロック解除部の操作部を、複数のコンタクトの配列方向に沿う方向に変位させるだけで行うことができるので、配線板状部材に対してのロック部による係止を極めて簡単な操作によって解除することができる。
【００３４】
斯かるもとで、ロック解除部の操作部は、ハウジングにおける複数のコンタクトの配列方向の端部から伸びてハウジングにおける板状部材差込み部が設けられた部分の周囲部分からハウジング外に突出するものとされていて、例えば、ハウジングの上方端面部（ハウジングが配される配線基板の面に対接する端面部（下方端面部）に対向する端面部）側においてハウジング外に突出するものではなく、それゆえ、コネクタ装置の厚み方向の寸法には影響を及ぼさない。従って、本願発明に係るコネクタ装置は、その厚み方向の寸法の低減を十分に図ることができるものとなる。また、ハウジングにおける複数のコンタクトの配列方向の端部とロック解除部の操作部との連結部分が導電性シェルによって覆われており、それにより、ロック解除部の操作部のハウジングとの連結部分が導電性シェルによって保護されることになる。
【００３５】
また、本願発明に係るコネクタ装置によれば、配線板状部材に対してのロック部による係止を解除するにあたり、ロック解除部の操作部を、例えば、その上方から下方に押圧するような操作は必要とされないので、導電性シェルにより部分的に包囲されたハウジングの上方に、下方への押圧操作のためのスペースの確保を必要とすることなく、ハウジングに板状部材差込み部を通じて差し込まれた配線板状部材に対するハウジングからの不所望な抜脱を阻止するための係止及びその係止の解除を、確実に行うことができる。
【００３６】
そして、本願発明に係るコネクタ装置の例においては、ロック部が、ハウジング内において、ハウジングに板状部材差込み部を通じて差し込まれた配線板状部材に設けられた係合部に係合して配線板状部材を係止する状態をとる係止部と、係止部を変位可能に支持する弾性アーム部と、弾性アーム部から突出して複数のコンタクトの配列方向に沿う方向に対して傾斜する傾斜面部を形成する受圧部とを備え、受圧部が形成する傾斜面部にロック解除部の押圧部が当接係合するものとされ、それにより、ロック部による、ハウジングに差し込まれた配線板状部材の係止及び係止の解除が、より一層確実に行われる。
【００３７】
さらに、本願発明に係るコネクタ装置の他の例においては、導電性シェルが、ロック部に加え、導電性シェル内へと突出してロック解除部の操作部に係合する弾性片部が形成されて、その弾性片部が、ロック解除部の操作部が複数のコンタクトの配列方向に沿う方向に変位せしめられたとき、ロック解除部の操作部にその変位前の位置への復元に寄与する弾性力を作用させるものとされ、それにより、ロック解除部の操作部の変位後における元の位置への復元が、弾性片部の弾性力を受けて、迅速かつ確実に行われる。
【図面の簡単な説明】
【００３８】
【図１】本願発明に係るコネクタ装置の第１の例を示す正面側から見た斜視図である。
【図２】本願発明に係るコネクタ装置の第１の例を示す背面側から見た斜視図である。
【図３】本願発明に係るコネクタ装置の第１の例を示す正面図である。
【図４】図３におけるIV−IV線断面を示す断面図である。
【図５】本願発明に係るコネクタ装置の第１の例に備えられる導電性シェルを示す斜視図である。
【図６】図３におけるVI−VI線断面を示す断面図である。
【図７】図３における VII−VII 線断面を示す断面図である。
【図８】図６におけるVIII−VIII線断面を示す断面図である。
【図９】本願発明に係るコネクタ装置の第１の例におけるそれに備えられたロック部及びロック解除部の相互配置関係を示す一部断面を含んだ部分斜視図である。
【図１０】本願発明に係るコネクタ装置の第１の例におけるそれに備えられたロック部及びロック解除部の相互配置関係を示す部分正面図である。
【図１１】本願発明に係るコネクタ装置の第１の例におけるそれに備えられたロック部及びロック解除部の相互配置関係を示す部分正面図である。
【図１２】本願発明に係るコネクタ装置の第１の例に差し込まれるフレキシブル印刷配線基板を示す斜視図である。
【図１３】本願発明に係るコネクタ装置の第１の例にフレキシブル印刷配線基板が差し込まれた状態を示す一部断面を含んだ平面図である。
【図１４】本願発明に係るコネクタ装置の第１の例に対してフレキシブル印刷配線基板が差込み途中にある状態を示す一部断面を含んだ部分斜視図である。
【図１５】本願発明に係るコネクタ装置の第１の例に対するフレキシブル印刷配線基板の差込みが完了し、当該一例に備えられたロック部の係止部によってフレキシブル印刷配線基板が係止された状態を示す一部断面を含んだ部分斜視図である。
【図１６】本願発明に係るコネクタ装置の第２の例を示す正面側から見た斜視図である。
【図１７】本願発明に係るコネクタ装置の第２の例に備えられる導電性シェルを示す正面側から見た斜視図である。
【図１８】本願発明に係るコネクタ装置の第２の例に備えられる導電性シェルを示す背面側から見た斜視図である。
【図１９】本願発明に係るコネクタ装置の第２の例に備えられる導電性シェルを示す一部破断平面図である。
【図２０】本願発明に係るコネクタ装置の第２の例に備えられるハウジングを示す背面側から見た斜視図である。
【図２１】本願発明に係るコネクタ装置の第２の例の一端部の内部構造を示す部分断面図である。
【発明を実施するための形態】
【００３９】
本願発明を実施するための形態は、以下に述べられる本願発明についての実施例をもって説明される。
【実施例１】
【００４０】
図１（正面側見た斜視図），図２（背面側から見た斜視図）及び図３（正面図）は、本願発明に係るコネクタ装置の第１の例を示す。
【００４１】
図１，図２及び図３において、本願発明に係るコネクタ装置の第１の例を成すコネクタ装置１０は、合成樹脂等の絶縁材料によって形成されたハウジング１１を備えている。ハウジング１１には、図１及び図３に示されるように、その正面側端面部に板状部材差込み部１２が設けられており、板状部材差込み部１２からハウジング１１の内部へと板状部材収容空間が伸びている。ハウジング１１における正面側端面部は、板状部材差込み部１２が設けられた部分とその周囲部分とからなっている。
【００４２】
ハウジング１１は、例えば、図示されていない配線基板の面上に配され、それにより、コネクタ装置１０の全体が配線基板に取り付けられたものとされる。その際、ハウジング１１における正面側端面部とそれに対向する背面側端面部とに挟まれた一対の対向端面部のうちの一方が配線基板の面に対接する端面部とされて他方が解放された端面部とされる。以下においては、配線基板の面に対接するハウジング１１の一端面部を下方端面部といい、それに対向するハウジング１１の他端面部を上方端面部という。そして、板状部材差込み部１２を通じて、例えば、後述されるフレキシブル印刷配線基板が、配線板状部材を成すものとして、ハウジング１１に差し込まれる。
【００４３】
ハウジング１１には、各々が弾性導電材料で形成された複数のコンタクト１３が、ハウジング１１が配される配線基板の面に沿うことになる方向である、ハウジング１１の長手方向（左右方向）に沿って配列配置されて設けられている。複数のコンタクト１３は、配線板状部材を成すフレキシブル印刷配線基板における複数の接続端子部に接触接続される信号用コンタクトとして設けられているが、フレキシブル印刷配線基板における複数の信号接続端子部及び接地接続部に接触接続される信号用及び接地用コンタクトとして用いられても良い。複数のコンタクト１３の夫々には、図２に示されるように、ハウジング１１の背面側端面部分からその外部に導出される部分に接続端子部１３ａが設けられており、接続端子部１３ａは、ハウジング１１が配された配線基板に設けられた配線端子に接続される。そして、複数のコンタクト１３は、例えば、図２に示されるハウジング１１の背面側端面部分側から、ハウジング１１の内部へと押圧挿入される。
【００４４】
これらの複数のコンタクト１３は、配線板状部材を成すフレキシブル印刷配線基板が板状部材差込み部１２を通じてハウジング１１に差し込まれたとき、ハウジング１１に差し込まれたフレキシブル印刷配線基板における複数の接続端子部に夫々接触接続される。それにより、ハウジング１１に差し込まれたフレキシブル印刷配線基板における複数の接続端子部が、複数のコンタクト１３を介して、ハウジング１１が配された配線基板に設けられた配線端子に連結される。
【００４５】
また、コネクタ装置１０は、ハウジング１１における正面側端面部、即ち、板状部材差込み部１２が設けられた部分及びその周囲部分を除く他の部分、即ち、上方端面部，左側端面部，下方端面部，右側端面部及び背面側端面部の表面の大部分もしくは一部分を覆う導電性シェル１４を備えている。この導電性シェル１４は、金属板が加工成形されて構成されており、主としてコネクタ装置１０についての外部からの電磁波ノイズ対策のため、即ち、コネクタ装置１０における外部からの電磁波ノイズに対するシールド効果を得ることを主たる役割とするものとして、備えられている。
【００４６】
図２に示されるように、導電性シェル１４は、ハウジング１１における正面側端面部，上方端面部の背面側端面部との境界部分の一部、及び、背面側端面部における複数のコンタクト１３が外部に導出される部分については、それらの表面を覆っていないが、ハウジング１１における上方端面部の背面側端面部との境界部分の一部以外の部分，左側端面部、及び、右側端面部については、それらの表面を略全体的に覆っている。また、導電性シェル１４には、複数の接地接続端子部１４ａが設けられていて、これらの接地接続端子部１４ａの夫々は、ハウジング１１が配される配線基板に設けられた接地端子に、例えば、半田付けにより連結されるものとされる。
【００４７】
このように、導電性シェル１４が、ハウジング１１における上方端面部の背面側端面部との境界部分の一部以外の部分，左側端面部及び右側端面部の夫々の表面を略全体的に覆い、それに設けられた複数の接地接続端子部１４ａが、配線基板に設けられた接地端子に、例えば、半田付けにより連結されるものとされることにより、コネクタ装置１０における外部からの電磁波ノイズに対するシールド効果が効果的に得られることになるとともに、導電性シェル１４をコネクタ装置１０の配線基板への固定に利用できることになる。
【００４８】
そして、導電性シェル１４には、ハウジング１１の長手方向に沿うその長手方向（左右方向）の両端部においてハウジング１１の背面側端面部の表面を覆う、一対の左背面部１５Ａ及び右背面部１５Ｂを相互に連結する帯状背面部１７が、ハウジング１１の上方端面部の表面を覆う上面部１８から切り離されたものとして設けられている。そして、図３におけるIV−IV線断面をあらわす図４に示されるように、帯状背面部１７からは、複数の接地用コンタクト１９が、各々が板状部材差込み部１２に向かうものとされてハウジング１１内へと伸びている。複数の接地用コンタクト１９の夫々は、ハウジング１１内において、複数のコンタクト１３のうちの一つに対向して配され、配線板状部材を成すフレキシブル印刷配線基板がハウジング１１に板状部材差込み部１２を通じて差し込まれたとき、その配線板状部材に設けられた接地接続部に接触接続される。
【００４９】
また、導電性シェル１４には、図５に示されるように、左背面部１５Ａに対向する左正面側部分に、ハウジング１１に板状部材差込み部１２を通じて差し込まれた配線板状部材を成すフレキシブル印刷配線基板を係止する状態をとるロック部２０Ａが形成され、さらに、右背面部１５Ｂに対向する右正面側部分に、ハウジング１１に板状部材差込み部１２を通じて差し込まれた配線板状部材を成すフレキシブル印刷配線基板を係止する状態をとるロック部２０Ｂが形成されている。
【００５０】
ロック部２０Ａは、ハウジング１１の下方端面部の表面を覆う導電性シェル１４の下面部２１における左端部から、一旦ハウジング１１の正面側端面部に向かって伸びた後折り返して左背面部１５Ａに向かって伸びる一対の折返し部２２Ａ及び２３Ａ，折返し部２２Ａと折返し部２３Ａとを連結する連結部２４Ａ，折返し部２３Ａから突出する受圧部２５Ａ、及び、折返し部２３Ａに設けられた係止部２６Ａとを含んで構成されている。一対の折返し部２２Ａ及び２３Ａと連結部２４Ａとは、それらの全体で弾性アーム部を形成しており、この弾性アーム部は、導電性シェル１４の上面部１８及び下面部２１を貫く方向（上下方向）の弾性変位が可能とされていて、それから受圧部２５Ａが突出しており、また、係止部２６Ａを変位可能に支持している。
【００５１】
一対の折返し部２２Ａ及び２３Ａの夫々は、所定の幅を有した帯状板体を成しており、折返し部２３Ａが成す帯状板体の幅が折返し部２２Ａが成す帯状板体の幅以下に選定されている。受圧部２５Ａは、導電性シェル１４の長手方向、即ち、複数のコンタクト１３の配列方向に沿う方向に対して傾斜する傾斜面部を形成している。さらに、係止部２６Ａは、弾性アーム部を形成する折返し部２３Ａから導電性シェル１４の上面部１８に向かって突出しており、弾性アーム部の変位に伴って上下方向に変位するものとされている。
【００５２】
ロック部２０Ｂは、ロック部２０Ａと同様の態様をもって、導電性シェル１４の下面部２１における右端部から、一旦ハウジング１１の正面側端面部に向かって伸びた後折り返して右背面部１５Ｂに向かって伸びる一対の折返し部２２Ｂ及び２３Ｂ，折返し部２２Ｂと折返し部２３Ｂとを連結する連結部２４Ｂ，折返し部２３Ｂから突出する受圧部２５Ｂ、及び、折返し部２３Ｂに設けられた係止部２６Ｂとを含んで構成されている。一対の折返し部２２Ｂ及び２３Ｂと連結部２４Ｂとは、それらの全体で弾性アーム部を形成しており、この弾性アーム部は、導電性シェル１４の上面部１８及び下面部２１を貫く方向である上下方向の弾性変位が可能とされていて、それから受圧部２５Ｂが突出しており、また、係止部２６Ｂを変位可能に支持している。
【００５３】
一対の折返し部２２Ｂ及び２３Ｂの夫々は、所定の幅を有した帯状板体を成しており、折返し部２３Ｂが成す帯状板体の幅が折返し部２２Ｂが成す帯状板体の幅以下に選定されている。受圧部２５Ｂは、導電性シェル１４の長手方向、即ち、複数のコンタクト１３の配列方向に沿う方向に対して傾斜する傾斜面部を形成している。さらに、係止部２６Ｂは、弾性アーム部を形成する折返し部２３Ｂから導電性シェル１４の上面部１８に向かって突出しており、弾性アーム部の変位に伴って上下方向に変位するものとされている。
【００５４】
図３におけるVI−VI線断面をあらわす図６に明瞭に示されるように、ロック部２０Ａの係止部２６Ａは、弾性アーム部を形成する折返し部２３Ａから導電性シェル１４の上面部１８に向かって立ち上がった突起を成しており、その端面部を、配線板状部材を成すフレキシブル印刷配線基板の板状部材差込み部１２を通じたハウジング１１への差込み方向に沿って上昇傾斜する傾斜面２７Ａを形成するものとしており、係止部２６Ａは、その傾斜面２７Ａを形成する部分を、板状部材差込み部１２を通じてハウジング１１に差し込まれた配線板状部材を成すフレキシブル印刷配線基板に設けられた係合部に係合させる。同様に、ロック部２０Ｂの係止部２６Ｂは、弾性アーム部を形成する折返し部２３Ｂから導電性シェル１４の上面部１８に向かって立ち上がった突起を成しており、その端面部を、配線板状部材を成すフレキシブル印刷配線基板の板状部材差込み部１２を通じたハウジング１１への差込み方向に沿って上昇傾斜する傾斜面２７Ｂを形成するものとしており、係止部２６Ｂは、その傾斜面２７Ｂを形成する部分を、板状部材差込み部１２を通じてハウジング１１に差し込まれた配線板状部材を成すフレキシブル印刷配線基板に設けられた係合部に係合させる。
【００５５】
また、導電性シェル１４におけるその左背面部１５Ａに対向する左正面側部分には、ハウジング１１の上方端面部の表面を覆う導電性シェル１４の上面部１８における左端部から伸びて、ハウジング１１の正面側端面部における板状部材差込み部１２が設けられた部分の周囲部分に係合するものとされる、平板状を成すハウジング受部２８Ａが設けられている。同様に、導電性シェル１４におけるその右背面部１５Ｂに対向する右正面側部分には、ハウジング１１の上方端面部の表面を覆う導電性シェル１４の上面部１８における右端部から伸びて、ハウジング１１の正面側端面部における板状部材差込み部１２が設けられた部分の周囲部分に係合するものとされる、平板状を成すハウジング受部２８Ｂが設けられている。
【００５６】
一方、ハウジング１１にあっては、その長手方向の両端部における導電性シェル１４に形成されたロック部２０Ａ及び２０Ｂに夫々対応する部位に、ロック解除部３０Ａ及び３０Ｂが設けられている。これらのロック解除部３０Ａ及び３０Ｂは、上述のようにして行われる、板状部材差込み部１２を通じてハウジング１１に差し込まれた配線板状部材を成すフレキシブル印刷配線基板に対するロック部２０Ａ及び２０Ｂによる係止を解除すべく操作されるものとされている。
【００５７】
ロック解除部３０Ａは、図３における VII−VII 線断面をあらわす図７に示されるように、ハウジング１１における背面側端面部を形成する部分から伸びて、ハウジング１１の正面側端面部における板状部材差込み部１２が設けられた部分の周囲部分からハウジング１１外に突出する操作部３１Ａと、図６におけるVIII−VIII線断面をあらわす図８及び図９に示されるように、操作部３１Ａの一端部から突出する押圧部３２Ａとを有している。操作部３１Ａは、ハウジング１１の長手方向、即ち、複数のコンタクト１３の配列方向に沿う方向に変位可能とされて、ハウジング１１と一体的に形成されており、その変位方向における弾性を備えたものとされる。押圧部３２Ａは、操作部３１Ａの一端部からハウジング１１の下方端面部に向かって突出していて、ロック部２０Ａにおける傾斜面部を形成する受圧部２５Ａに当接して係合するものとされている。そして、操作部３１Ａが複数のコンタクト１３の配列方向に沿う方向に変位せしめられるとき、それに伴って、押圧部３２Ａが複数のコンタクト１３の配列方向に移動する。
【００５８】
詳細な図示は省略されているが、ロック解除部３０Ｂも、ロック解除部３０Ａと同様に、ハウジング１１における背面側端面部を形成する部分から伸びて、ハウジング１１の正面側端面部における板状部材差込み部１２が設けられた部分の周囲部分からハウジング１１外に突出する操作部３１Ｂと、操作部３１Ｂの一端部から突出する押圧部３２Ｂ（図３）とを有している。操作部３１Ｂは、ハウジング１１の長手方向、即ち、複数のコンタクト１３の配列方向に沿う方向に変位可能とされて、ハウジング１１と一体的に形成されており、その変位方向における弾性を備えたものとされる。押圧部３２Ｂは、操作部３１Ｂの一端部からハウジング１１の下方端面部に向かって突出していて、ロック部２０Ｂにおける傾斜面部を形成する受圧部２５Ｂに当接して係合するものとされている。そして、操作部３１Ｂが複数のコンタクト１３の配列方向に沿う方向に変位せしめられるとき、それに伴って、押圧部３２Ｂが複数のコンタクト１３の配列方向に沿う方向に移動する。
【００５９】
ハウジング１１には、その正面側端面部の板状部材差込み部１２が設けられた部分の周囲部分におけるロック解除部３０Ａの操作部３１Ａの近傍となる位置に、操作部３１Ａの複数のコンタクト１３の配列方向に沿う方向の変位を規制する変位規制部３３Ａが、ハウジング１１外に突出するものとして設けられている。また、ハウジング１１の正面側端面部の板状部材差込み部１２が設けられた部分の周囲部分におけるロック解除部３０Ｂの操作部３１Ｂの近傍となる位置にも、操作部３１Ｂの複数のコンタクト１３の配列方向に沿う方向の変位を規制する変位規制部３３Ｂが、ハウジング１１外に突出するものとして設けられている。
【００６０】
また、ハウジング１１には、図８及び図９に明瞭に示されるように、その正面側端面部の板状部材差込み部１２が設けられた部分の周囲部分におけるロック解除部３０Ａの操作部３１Ａの上方となる部位に、導電性シェル１４に設けられたハウジング受部２８Ａに当接して係合する当接係合部３４Ａが設けられており、また、詳細な図示は省略されているが、その正面側端面部の板状部材差込み部１２が設けられた部分の周囲部分におけるロック解除部３０Ｂの操作部３１Ｂの上方となる部位に、導電性シェル１４に設けられたハウジング受部２８Ｂに当接して係合する当接係合部３４Ｂが設けられている。
【００６１】
さらに、ハウジング１１には、その正面側端面部の板状部材差込み部１２が設けられた部分に、配線板状部材を成すフレキシブル印刷配線基板が板状部材差込み部１２を通じて差し込まれたとき、差し込まれたフレキシブル印刷配線基板が正規の差込み位置に到達している状態にあるか否かを点検するための一対の板状部材点検部３８Ａ及び３８Ｂが、各々が縦溝部を成すものとして、設けられている。
【００６２】
ハウジング１１に設けられたロック解除部３０Ａは、その操作部３１Ａに操作が加えられていないときには、操作部３１Ａが図１０に示される位置をとるものとされる。このとき、ロック解除部３０Ａの押圧部３２Ａは、ロック部２０Ａの受圧部２５Ａが形成する傾斜面部にその上方から軽く当接している。
【００６３】
操作部３１Ａが図１０に示される位置をとるもとで、操作部３１Ａに、それを変位規制部３３Ａに近接させる向きをもって複数のコンタクト１３の配列方向に沿う方向に変位させる操作が加えられると、操作部３１Ａが、複数のコンタクト１３の配列方向に沿う方向に弾性変位せしめられて、例えば、図１１に示されるような、変位規制部３３Ａに当接する位置をとる。操作部３１Ａの更なる変位は、変位規制部３３Ａによって規制される。そして、斯かる操作部３１Ａの弾性変位に伴って、押圧部３２Ａが、ロック部２０Ａの受圧部２５Ａが形成する傾斜面部を押圧しつつ複数のコンタクト１３の配列方向に移動する。それにより、ロック部２０Ａの受圧部２５Ａが、ロック部２０Ａの弾性アーム部に弾性変形を生じさせて、複数のコンタクト１３の配列方向に直交する方向である下方に変位し、それに伴って、ロック部２０Ａの係止部２６Ａが下方に変位する。その後、操作部３１Ａに対する操作が加えられなくなると、操作部３１Ａが自らの弾性と弾性アーム部の弾性とによって、図１１に示されるような位置から図１０に示される位置に戻り、それに伴い、ロック部２０Ａの弾性アーム部の復元弾性変形によって、ロック部２０Ａの受圧部２５Ａ及び係止部２６Ａが、上方に変位せしめられて、元の位置に戻される。
【００６４】
ハウジング１１に設けられたロック解除部３０Ｂも、ロック解除部３０Ａと同様であり、その操作部３１Ｂに操作が加えられていないときには、操作部３１Ｂが図１０に示されるロック解除部３０Ａの位置に相当する位置をとるものとされる。このとき、ロック解除部３０Ｂの押圧部３２Ｂは、ロック部２０Ｂの受圧部２５Ｂが形成する傾斜面部にその上方から軽く当接している。
【００６５】
そして、操作部３１Ｂが図１０に示されるロック解除部３０Ａの位置に相当する位置  をとるもとで、操作部３１Ｂに、それを変位規制部３３Ｂに近接させる向きをもって複数のコンタクト１３の配列方向に沿う方向に変位させる操作が加えられると、操作部３１Ｂが、複数のコンタクト１３の配列方向に沿う方向に弾性変位せしめられて、例えば、変位規制部３３Ｂに当接する位置をとる。操作部３１Ｂの更なる変位は、変位規制部３３Ｂによって規制される。そして、斯かる操作部３１Ｂの弾性変位に伴って、押圧部３２Ｂが、ロック部２０Ｂの受圧部２５Ｂが形成する傾斜面部を押圧しつつ複数のコンタクト１３の配列方向に移動する。それにより、ロック部２０Ｂの受圧部２５Ｂが、ロック部２０Ｂの弾性アーム部に弾性変形を生じさせて下方に変位し、それに伴って、ロック部２０Ｂの係止部２６Ｂが下方に変位する。その後、操作部３１Ｂに対する操作が加えられなくなると、操作部３１Ｂが自らの弾性と弾性アーム部の弾性とによって、例えば、変位規制部３３Ｂに当接した位置から図１０に示されるロック解除部３０Ａの位置に相当する位置に戻り、それに伴い、ロック部２０Ｂの弾性アーム部の復元弾性変形によって、ロック部２０Ｂの受圧部２５Ｂ及び係止部２６Ｂが、上方に変位せしめられて、元の位置に戻される。
【００６６】
上述のように、コネクタ装置１０にあっては、そのハウジング１１及びそれを覆う導電性シェル１４の各々の長手方向である複数のコンタクト１３の配列方向の両端部に、一対のロック部２０Ａ及び２０Ｂと一対のロック解除部３０Ａ及び３０Ｂとが設けられているのである。
【００６７】
図１２は、コネクタ装置１０におけるハウジング１１に板状部材差込み部１２を通じて差し込まれる、配線板状部材を成すフレキシブル印刷配線基板の一例であるフレキシブル印刷配線基板４０を示す。図１２には、フレキシブル印刷配線基板４０の裏側の面が示されている。
【００６８】
図１２に示されるフレキシブル印刷配線基板４０の裏側の面には、その一端部に各々が細い短冊状に形成された複数の接続端子部４１が配列配置されて設けられている。また、斯かるフレキシブル印刷配線基板４０の表側の面には、例えば、裏側の面における複数の接続端子部４１が配列配置されて設けられた一端部に基板本体を挟んで対向する一端部に、接地接続部４２（図１４及び図１５）が配されている。このような表側の面及び裏側の面を有したフレキシブル印刷配線基板４０には、裏側の面に配列配置された複数の接続端子部４１を挟んで相互対向する一対の側縁部に係合部４３Ａ及び係合部４３Ｂが夫々形成されていて、一対の側縁部の一方における係合部４３Ａより先端側の部分が先端平板部４４Ａとされるとともに、一対の側縁部の他方における係合部４３Ｂより先端側の部分が先端平板部４４Ｂとされている。
【００６９】
一対の係合部４３Ａ及び４３Ｂは、各々が切欠きを形成するものとされているが、これらの切欠に代えて、フレキシブル印刷配線基板４０の一対の側縁部に夫々配される一対の係合孔を形成するものとされてもよい。そして、フレキシブル印刷配線基板４０においては、裏側の面に配列配置された複数の接続端子部４１、表側の面に配された接地接続部４２、及び、一対の係合部４３Ａ及び４３Ｂまたは一対の係合孔が形成された部分を残して、それら以外の部分がカバーフィルム４５によって覆われている。
【００７０】
図１３は、図１２に示されるフレキシブル印刷配線基板４０が、コネクタ装置１０におけるハウジング１１に板状部材差込み部１２を通じて差し込まれた状態を示す。図１３において、フレキシブル印刷配線基板４０にあっては、接地接続部４２が設けられるとともにカバーフィルム４５によって覆われた表側の面が示されている。
【００７１】
フレキシブル印刷配線基板４０がハウジング１１に板状部材差込み部１２を通じて適正に差し込まれたもとにあっては、図１３に示されるように、ロック部２０Ａの係止部２６Ａにおける傾斜面２７Ａを形成する部分が、フレキシブル印刷配線基板４０に形成された係合部４３Ａに係合するとともに、図示されていないが、ロック部２０Ｂの係止部２６Ｂにおける傾斜面２７Ｂを形成する部分が、フレキシブル印刷配線基板４０に形成された係合部４３Ｂに係合し、フレキシブル印刷配線基板４０がロック部２０Ａ及び２０Ｂによって係止された状態におかれる。それにより、フレキシブル印刷配線基板４０のハウジング１１からの不所望な抜脱が防止される。
【００７２】
フレキシブル印刷配線基板４０がコネクタ装置１０におけるハウジング１１に板状部材差込み部１２を通じて差し込まれて、図１３に示される状態がとられるときには、先ず、図１４に示されるように、コネクタ装置１０におけるハウジング１１の左側端部において、ロック部２０Ａの係止部２６Ａにおける傾斜面２７Ａを形成する部分が、ハウジング１１に板状部材差込み部１２を通じて差し込まれたフレキシブル印刷配線基板４０における係合部４３Ａより先端側の先端平板部４４Ａに、導電性シェル１４の下面部２１側から当接する。その際、係止部２６Ａは、フレキシブル印刷配線基板４０における先端平板部４４Ａによって導電性シェル１４の下面部２１に向かって押圧され、ロック部２０Ａにおける弾性アーム部の弾性変形を伴って、導電性シェル１４の下面部２１に近付く位置に変位せしめられる。
【００７３】
また、図示は省略されているが、コネクタ装置１０におけるハウジング１１の右側端部において、ロック部２０Ｂの係止部２６Ｂにおける傾斜面２７Ｂを形成する部分が、ハウジング１１に板状部材差込み部１２を通じて差し込まれたフレキシブル印刷配線基板４０における係合部４３Ｂより先端側の先端平板部４４Ｂに、導電性シェル１４の下面部２１側から当接する。その際、係止部２６Ｂは、フレキシブル印刷配線基板４０における先端平板部４４Ｂによって導電性シェル１４の下面部２１に向かって押圧され、ロック部２０Ｂにおける弾性アーム部の弾性変形を伴って、導電性シェル１４の下面部２１に近付く位置に変位せしめられる。
【００７４】
続いて、フレキシブル印刷配線基板４０がさらにハウジング１１の内部へと差し込まれると、図１５に示されるように、コネクタ装置１０におけるハウジング１１の左側端部において、ロック部２０Ａの係止部２６Ａにおける傾斜面２７Ａを形成する部分が、フレキシブル印刷配線基板４０における先端平板部４４Ａから外れ、ロック部２０Ａにおける弾性アーム部の弾性復元により導電性シェル１４の下面部２１から遠ざかる位置（元の位置）へと変位せしめられて、フレキシブル印刷配線基板４０における係合部４３Ａに係合し、フレキシブル印刷配線基板４０を係止する。
【００７５】
また、図示は省略されているが、コネクタ装置１０におけるハウジング１１の右側端部において、ロック部２０Ｂの係止部２６Ｂにおける傾斜面２７Ｂを形成する部分が、フレキシブル印刷配線基板４０における先端平板部４４Ｂから外れ、ロック部２０Ｂにおける弾性アーム部の弾性復元により導電性シェル１４の下面部２１から遠ざかる位置（元の位置）へと変位せしめられて、フレキシブル印刷配線基板４０における係合部４３Ｂに係合し、フレキシブル印刷配線基板４０を係止する。
【００７６】
このとき、フレキシブル印刷配線基板４０は、ハウジング１１への板状部材差込み部１２を通じての差込みを完了して、図１３に示される正規の差込み位置をとっており、導電性シェル１４に形成された一対のロック部２０Ａ及び２０Ｂにより係止されて、ハウジング１１からの不所望な抜脱が阻止される状態におかれる。即ち、フレキシブル印刷配線基板４０は、ハウジング１１に板状部材差込み部１２を通じて適正に差し込まれるだけで、導電性シェル１４に形成された一対のロック部２０Ａ及び２０Ｂによりハウジング１１からの不所望な抜脱が阻止される状態におかれることになる。
【００７７】
斯かる際、図１３に示されるように、コネクタ装置１０の上方から見て、ハウジング１１の正面側端面部の板状部材差込み部１２が設けられた部分に形成された板状部材点検部３８Ａ及び３８Ｂの夫々を通して、ハウジング１１に板状部材差込み部１２を通じて差し込まれたフレキシブル印刷配線基板４０における係合部４３Ａあるいは係合部４３Ｂを認めることができない。それにより、フレキシブル印刷配線基板４０が、正規の差込み位置に到達している状態にあることを確認することができる。仮に、板状部材点検部３８Ａ及び３８Ｂのうちの一方もしくは双方を通して、ハウジング１１に板状部材差込み部１２を通じて差し込まれたフレキシブル印刷配線基板４０における係合部４３Ａ及び４３Ｂのうちの一方もしくは双方を認めることができるとすれば、フレキシブル印刷配線基板４０が、正規の差込み位置に到達している状態にはないことになる。
【００７８】
このようにして、フレキシブル印刷配線基板４０がハウジング１１への板状部材差込み部１２を通じての差込を完了して正規の差込み位置をとるもとにおいては、導電性シェル１４の帯状背面部１７からハウジング１１内に伸びる複数の接地用コンタクト１９が、ハウジング１１に差し込まれたフレキシブル印刷配線基板４０の表側の面に配された接地接続部４２に、導電性シェル１４の上面部１８側から弾性当接して接触接続される。それにより、ハウジング１１に差し込まれたフレキシブル印刷配線基板４０における接地接続部４２が、複数の接地用コンタクト１９を介して、ハウジング１１が配された配線基板に設けられた接地端子に連結される。
【００７９】
また、それとともに、ハウジング１１内に配列配置された複数のコンタクト１３が、ハウジング１１に差し込まれたフレキシブル印刷配線基板４０の裏側の面に配列配置された複数の接続端子部４１に、導電性シェル１４の下面部２１側から夫々弾性当接して接触接続される。それにより、ハウジング１１に差し込まれたフレキシブル印刷配線基板４０における複数の接続端子部４１が、複数のコンタクト１３を介して、ハウジング１１が配された配線基板に設けられた配線端子に連結される。
【００８０】
そして、このとき、ハウジング１１に設けられたロック解除部３０Ａは、その操作部３１Ａが前述の図１０に示される位置をとり、その押圧部３２Ａがロック部２０Ａの受圧部２５Ａが形成する傾斜面部にその上方から軽く当接している状態におかれる。また、ハウジング１１に設けられたロック解除部３０Ｂは、その操作部３１Ｂが前述の図１０に示されるロック解除部３０Ａの位置に相当する位置をとり、その押圧部３２Ｂがロック部２０Ｂの受圧部２５Ｂが形成する傾斜面部にその上方から軽く当接している状態におかれる。
【００８１】
その後、ロック解除部３０Ａの操作部３１Ａに、それを変位規制部３３Ａに近接させる向きをもって複数のコンタクト１３の配列方向に沿う方向に変位させる操作が加えられると、操作部３１Ａが、複数のコンタクト１３の配列方向に沿う方向に弾性変位せしめられて、例えば、図１１に示されるような、変位規制部３３Ａに当接する位置をとり、操作部３１Ａの更なる変位は、変位規制部３３Ａによって規制される。そして、斯かる操作部３１Ａの弾性変位に伴って、ロック解除部３０Ａの押圧部３２Ａが、ロック部２０Ａの受圧部２５Ａが形成する傾斜面部を押圧しつつ複数のコンタクト１３の配列方向に移動する。それにより、ロック部２０Ａの受圧部２５Ａが、ロック部２０Ａの弾性アーム部に弾性変形を生じさせて、複数のコンタクト１３の配列方向に直交する方向である下方に変位し、それに伴って、ロック部２０Ａの係止部２６Ａが下方に変位して、フレキシブル印刷配線基板４０における係合部４３Ａに係合しなくなり、フレキシブル印刷配線基板４０に対する係止を解除する。
【００８２】
また、ロック解除部３０Ｂの操作部３１Ｂに、それを変位規制部３３Ｂに近接させる向きをもって複数のコンタクト１３の配列方向に沿う方向に変位させる操作が加えられると、操作部３１Ｂが、複数のコンタクト１３の配列方向に沿う方向に弾性変位せしめられて、例えば、変位規制部３３Ｂに当接する位置をとり、操作部３１Ｂの更なる変位は、変位規制部３３Ｂによって規制される。そして、斯かる操作部３１Ｂの弾性変位に伴って、ロック解除部３０Ｂの押圧部３２Ｂが、ロック部２０Ｂの受圧部２５Ｂが形成する傾斜面部を押圧しつつ複数のコンタクト１３の配列方向に移動する。それにより、ロック部２０Ｂの受圧部２５Ｂが、ロック部２０Ｂの弾性アーム部に弾性変形を生じさせて、複数のコンタクト１３の配列方向に直交する方向である下方に変位し、それに伴って、ロック部２０Ｂの係止部２６Ｂが下方に変位して、フレキシブル印刷配線基板４０における係合部４３Ｂに係合しなくなり、フレキシブル印刷配線基板４０に対する係止を解除する。
【００８３】
斯かる際、ロック部２０Ａの弾性アーム部を形成する一対の折返し部２２Ａ及び２３Ａについて、受圧部２５Ａ及び係止部２６Ａが設けられた折返し部２３Ａが成す帯状板体の幅が、受圧部２５Ａ及び係止部２６Ａが設けられていない折返し部２２Ａが成す帯状板体の幅以下に選定されているので、折返し部２３Ａの剛性が折返し部２２Ａの剛性以下とされ、ロック解除部３０Ａの押圧部３２Ａにより折返し部２３Ａに設けられた受圧部２５Ａが形成する傾斜面部が下方に押圧されることによる係止部２６Ａの下方への変位が、容易かつ確実に行われることになる。また、ロック部２０Ｂの弾性アーム部を形成する一対の折返し部２２Ｂ及び２３Ｂについても、受圧部２５Ｂ及び係止部２６Ｂが設けられた折返し部２３Ｂが成す帯状板体の幅が、受圧部２５Ｂ及び係止部２６Ｂが設けられていない折返し部２２Ｂが成す帯状板体の幅以下に選定されているので、折返し部２３Ｂの剛性が折返し部２２Ｂの剛性以下とされ、ロック解除部３０Ｂの押圧部３２Ｂにより折返し部２３Ｂに設けられた受圧部２５Ｂが形成する傾斜面部が下方に押圧されることによる係止部２６Ｂの下方への変位が、容易かつ確実に行われることになる。
【００８４】
このとき、押圧部３２Ａはロック部２０Ａの受圧部２５Ａからの上方に向かう反力を受け、その反力が、操作部３１Ａを通じてハウジング１１の上面部側へと伝達される。斯かる操作部３１Ａを通じたロック部２０Ａの受圧部２５Ａからの反力は、ハウジング１１に形成された当接係合部３４Ａが当接して係合する、導電性シェル１４に設けられたハウジング受部２８Ａにより受けられて吸収され、導電性シェル１４あるいはハウジング１１の部分的変形等が生じる事態が回避される。
【００８５】
また、押圧部３２Ｂもロック部２０Ｂの受圧部２５Ｂからの上方に向かう反力を受け、その反力が、操作部３１Ｂを通じてハウジング１１の上面部側へと伝達される。斯かる操作部３１Ｂを通じたロック部２０Ｂの受圧部２５Ｂからの反力は、ハウジング１１に形成された当接係合部３４Ｂが当接して係合する、導電性シェル１４に設けられたハウジング受部２８Ｂにより受けられて吸収され、導電性シェル１４あるいはハウジング１１の部分的変形等が生じる事態が回避される。
【００８６】
なお、導電性シェル１４に設けられたハウジング受部２８Ａは、ロック解除部３０Ａの操作部３１Ａが複数のコンタクト１３の配列方向に沿う方向に変位せしめられる際に、操作部３１Ａに対する案内部材としての役割も果たし、また、導電性シェル１４に設けられたハウジング受部２８Ｂは、ロック解除部３０Ｂの操作部３１Ｂが複数のコンタクト１３の配列方向に沿う方向に変位せしめられる際に、操作部３１Ｂに対する案内部材としての役割も果たす。
【００８７】
上述のようにして、ロック解除部３０Ａの操作部３１Ａに操作が加えられることにより、ロック部２０Ａの係止部２６Ａが、下方に変位して、フレキシブル印刷配線基板４０における係合部４３Ａに係合しなくなり、フレキシブル印刷配線基板４０に対する係止を解除するとともに、ロック解除部３０Ｂの操作部３１Ｂに操作が加えられることにより、ロック部２０Ｂの係止部２６Ｂが、下方に変位して、フレキシブル印刷配線基板４０における係合部４３Ｂに係合しなくなり、フレキシブル印刷配線基板４０に対する係止を解除すると、それにより、ハウジング１１に差し込まれたフレキシブル印刷配線基板４０が、ハウジング１１から適正に抜脱され得る状態におかれる。
【００８８】
フレキシブル印刷配線基板４０における一対の係合部４３Ａ及び４３Ｂが、一対の切欠き部に代えて、一対の係合孔を形成するものとされる場合にも、上述と同様にして、フレキシブル印刷配線基板４０に対するロック部２０Ａ及び２０Ｂによる係止、及び、ロック解除部３０Ａ及び３０Ｂを用いてのロック部２０Ａ及び２０Ｂによる係止の解除が行われる。
【００８９】
そして、操作部３１Ａに対する操作が加えられなくなると、操作部３１Ａが自らの弾性と弾性アーム部の弾性とによって元の位置に戻り、それに伴い、ロック部２０Ａの弾性アーム部の復元弾性変形によって、ロック部２０Ａの受圧部２５Ａ及び係止部２６Ａが、上方に変位せしめられて、元の位置に戻され、また、操作部３１Ｂに対する操作が加えられなくなると、操作部３１Ｂが自らの弾性と弾性アーム部の弾性とによって元の位置に戻り、それに伴い、ロック部２０Ｂの弾性アーム部の復元弾性変形によって、ロック部２０Ｂの受圧部２５Ｂ及び係止部２６Ｂが、上方に変位せしめられて、元の位置に戻される。
【００９０】
上述のようなコネクタ装置１０が用いられてそれにおけるハウジング１１に配線板状部材を成すフレキシブル印刷配線基板４０が差し込まれるもとにあっては、フレキシブル印刷配線基板４０をコネクタ装置１０におけるハウジング１１に板状部材差込み部１２を通じて差し込むだけで、ハウジング１１に差し込まれたフレキシブル印刷配線基板４０における複数の接続端子部４１が、複数のコンタクト１３を介して、ハウジング１１が配された配線基板に設けられた配線端子に連結され、さらに、当該フレキシブル印刷配線基板４０における接地接続部４２が、複数の接地用コンタクト１９を介して、ハウジング１１が配された配線基板に設けられた接地端子に連結されるとともに、ハウジング１１に差し込まれたフレキシブル印刷配線基板４０が一対のロック部２０Ａ及び２０Ｂによって適正に係止される状態を得ることができる。
【００９１】
また、斯かるもとにあっては、ハウジング１１にそれに設けられた板状部材差込み部１２を通じて差し込まれたフレキシブル印刷配線基板４０に対しての、導電性シェル１４に形成された一対のロック部２０Ａ及び２０Ｂによる係止、及び、ハウジング１１に一体的に設けられた一対のロック解除部３０Ａ及び３０Ｂを用いてのロック部２０Ａ及び２０Ｂによる係止の解除をなすにあたり、例えば、ハウジング１１に対して回動可能とされるアクチュエータを設けることが不要とされ、それに加えて、導電性シェル１４をハウジング１１に対して回動可能とする必要がなく、ハウジング１１に対して固定された導電性シェル１４をコネクタ装置１０の配線基板への固定のために利用することができて、別途、コネクタ装置１０を配線基板に固定するための部材を備えることが不要とされる。その結果、コネクタ装置１０を用いる場合には、その部品点数を比較的少として製造コストの低減を効果的に図ることができる。
【００９２】
それに加えて、フレキシブル印刷配線基板４０に対してのロック部２０Ａ及び２０Ｂによる係止の解除を、ハウジング１１における板状部材差込み部１２が設けられた部分の周囲部分からハウジング１１外に突出するロック解除部３０Ａの操作部３１Ａ及びロック解除部３０Ｂの操作部３１Ｂを、複数のコンタクト１３の配列方向に沿う方向に変位させるだけで行うことができるので、フレキシブル印刷配線基板４０に対してのロック部２０Ａ及び２０Ｂによる係止を極めて簡単な操作によって解除することができる。
【００９３】
斯かるもとで、ロック解除部３０Ａの操作部３１Ａ及びロック解除部３０Ｂの操作部３１Ｂは、導電性シェル１４によって覆われたハウジング１１におけるその長手方向の両端部から夫々伸びてハウジング１１における板状部材差込み部１２が設けられた部分の周囲部分からハウジング１１外に突出するものとされていて、例えば、ハウジング１１の上方端面部側においてハウジング１１外に突出するものではなく、それゆえ、コネクタ装置１０の厚み方向の寸法には影響を及ぼさない。従って、コネクタ装置１０は、その厚み方向の寸法の低減を十分に図ることができるものとなる。
【００９４】
また、コネクタ装置１０が用いられる場合には、フレキシブル印刷配線基板４０に対してのロック部２０Ａ及び２０Ｂによる係止を解除するにあたり、ロック解除部３０Ａの操作部３１Ａ及びロック解除部３０Ｂの操作部３１Ｂの夫々を、例えば、その上方から下方に押圧するような操作は必要とされないので、導電性シェル１４により部分的に包囲されたハウジング１１の上方に、下方への押圧操作のためのスペースの確保を必要とすることなく、ハウジング１１に板状部材差込み部１２を通じて差し込まれたフレキシブル印刷配線基板４０に対するハウジング１１からの不所望な抜脱を阻止するための係止及びその係止の解除を、確実に行うことができることになる。
【実施例２】
【００９５】
図１６（正面側見た斜視図）は、本願発明に係るコネクタ装置の第２の例を示す。
【００９６】
図１６において、本願発明に係るコネクタ装置の第２の例を成すコネクタ装置５０は、合成樹脂等の絶縁材料によって形成されたハウジング５１を備えている。ハウジング５１には、その正面側端面部に板状部材差込み部５２が設けられており、板状部材差込み部５２からハウジング５１の内部へと板状部材収容空間が伸びている。ハウジング５１における正面側端面部は、板状部材差込み部５２が設けられた部分とその周囲部分とからなっている。
【００９７】
ハウジング５１は、例えば、図示されていない配線基板の面上に配され、それにより、コネクタ装置５０の全体が配線基板に取り付けられたものとされる。その際、ハウジング５１における正面側端面部とそれに対向する背面側端面部とに挟まれた一対の対向端面部のうちの一方が配線基板の面に対接する端面部とされて他方が解放された端面部とされる。以下においては、配線基板の面に対接するハウジング５１の一端面部を下方端面部といい、それに対向するハウジング５１の他端面部を上方端面部という。そして、板状部材差込み部５２を通じて、例えば、後述されるフレキシブル印刷配線基板が、配線板状部材を成すものとして、ハウジング５１に差し込まれる。
【００９８】
ハウジング５１には、前述のコネクタ装置１０に備えられた複数のコンタクト１３に相当する複数のコンタクト５３（図１６には現れていず、図２１に示されている。）が、ハウジング５１が配される配線基板の面に沿うことになる方向である、ハウジング５１の長手方向（左右方向）に沿って配列配置されて設けられている。複数のコンタクト５３の夫々は、前述のコネクタ装置１０に備えられた複数のコンタクト１３の夫々と同様に構成されて、コンタクト１３の接続端子部１３ａに相当する接続端子部５３ａを有していて、複数のコンタクト１３の夫々と同様の役割を果たすものとされており、それゆえ、それについての詳細説明は省略される。
【００９９】
これらの複数のコンタクト５３は、配線板状部材を成すフレキシブル印刷配線基板が板状部材差込み部５２を通じてハウジング５１に差し込まれたとき、ハウジング５１に差し込まれたフレキシブル印刷配線基板における複数の接続端子部に夫々接触接続される。それにより、ハウジング５１に差し込まれたフレキシブル印刷配線基板における複数の接続端子部が、複数のコンタクト５３を介して、ハウジング５１が配された配線基板に設けられた配線端子に連結される。
【０１００】
また、コネクタ装置５０は、ハウジング５１にその表面を部分的に覆う状態をもって装着された導電性シェル５４を備えている。この導電性シェル５４は、金属板が加工成形されて構成されており、主としてコネクタ装置５０についての外部からの電磁波ノイズ対策のため、即ち、コネクタ装置５０における外部からの電磁波ノイズに対するシールド効果を得ることを主たる役割とするものとして、備えられている。そして、導電性シェル５４は、ハウジング５１における正面側端面部，上方端面部の背面側端面部との境界部分の一部、及び、背面側端面部における後述される複数のコンタクトが外部に導出される部分については、それらの表面を覆っていないが、ハウジング５１における上方端面部の背面側端面部との境界部分の一部以外の部分，左側端面部、及び、右側端面部については、それらの表面を略全体的に覆っている。
【０１０１】
図１７，図１８及び図１９は、ハウジング５１に装着されていない状態におかれた導電性シェル５４を単体で示す。図１７は導電性シェル５４を正面側から見た斜視図であり、図１８は導電性シェル５４を背面側から見た斜視図であり、図１９は導電性シェル５４をその一部を切取り除去した状態をもって示す一部破断平面図である。
【０１０２】
図１７，図１８及び図１９において、導電性シェル５４には、複数の接地接続端子部５４ａが設けられていて、これらの接地接続端子部５４ａの夫々は、ハウジング５１が配される配線基板に設けられた接地端子に、例えば、半田付けにより連結されるものとされる。
【０１０３】
このように、導電性シェル５４が、ハウジング５１における上方端面部の背面側端面部との境界部分の一部以外の部分，左側端面部及び右側端面部の夫々の表面を略全体的に覆うものとされるもとで、それに設けられた複数の接地接続端子部５４ａが、配線基板に設けられた接地端子に、例えば、半田付けにより連結されるものとされることにより、ハウジング５１に装着されたもとにあっては、コネクタ装置５０における外部からの電磁波ノイズに対するシールド効果が効果的に得られることになるとともに、導電性シェル５４をコネクタ装置５０の配線基板への固定に利用できることになる。
【０１０４】
導電性シェル５４には、ハウジング５１の長手方向に沿うその長手方向（左右方向）の両端部においてハウジング５１の背面側端面部の表面を覆うことになる一対の左背面部５５Ａ及び右背面部５５Ｂを、相互に連結する帯状背面部５６が、ハウジング５１の上方端面部の表面を覆うことになる上面部５７から切り離されたものとして設けられている。そして、帯状背面部５６からは、複数の接地用コンタクト５８が、各々が板状部材差込み部５２に向かう方向をもってハウジング５１内へと伸びることになるものとして設けられている。複数の接地用コンタクト５８の夫々は、ハウジング５１内において、複数のコンタクト５３のうちの一つに対向して配されるものとされており、配線板状部材を成すフレキシブル印刷配線基板がハウジング５１に板状部材差込み部５２を通じて差し込まれたとき、その配線板状部材に設けられた接地接続部に接触接続される。
【０１０５】
また、導電性シェル５４には、左背面部５５Ａに対向する左正面側部分に、ハウジング５１に板状部材差込み部５２を通じて差し込まれた配線板状部材を成すフレキシブル印刷配線基板を係止する状態をとるロック部６０Ａが形成され、さらに、右背面部５５Ｂに対向する右正面側部分に、ハウジング５１に板状部材差込み部５２を通じて差し込まれた配線板状部材を成すフレキシブル印刷配線基板を係止する状態をとるロック部６０Ｂが形成されている。
【０１０６】
ロック部６０Ａは、ハウジング５１の下方端面部の表面を部分的に覆うことになる導電性シェル５４の下面部６１における左端部から、一旦ハウジング５１の正面側端面部に向かうことになる方向に伸びた後、折り返して左背面部５５Ａに向かって伸びる一対の折返し部６２Ａ及び６３Ａ，折返し部６２Ａと折返し部６３Ａとを連結する連結部６４Ａ，折返し部６３Ａから突出する受圧部６５Ａ、及び、折返し部６３Ａに設けられた係止部６６Ａとを含んで構成されている。一対の折返し部６２Ａ及び６３Ａと連結部６４Ａとは、それらの全体で弾性アーム部を形成しており、この弾性アーム部は、導電性シェル５４の上面部５７及び下面部６１を貫く方向（上下方向）の弾性変位が可能とされていて、それから受圧部６５Ａが突出しており、また、係止部６６Ａを変位可能に支持している。
【０１０７】
一対の折返し部６２Ａ及び６３Ａの夫々は、所定の幅を有した帯状板体を成しており、折返し部６３Ａが成す帯状板体の幅が折返し部６２Ａが成す帯状板体の幅以下に選定されている。受圧部６５Ａは、導電性シェル５４の長手方向、即ち、複数のコンタクト５３の配列方向となる方向に沿って傾斜する傾斜面部を形成している。さらに、係止部６６Ａは、弾性アーム部を形成する折返し部６３Ａから導電性シェル５４の上面部５７に向かって突出しており、弾性アーム部の変位に伴って上下方向に変位するものとされている。
【０１０８】
ロック部６０Ｂは、ロック部６０Ａと同様の態様をもって、導電性シェル５４の下面部６１における右端部から、一旦ハウジング５１の正面側端面部に向かうことになる方向に伸びた後、折り返して右背面部５５Ｂに向かって伸びる一対の折返し部６２Ｂ及び６３Ｂ，折返し部６２Ｂと折返し部６３Ｂとを連結する連結部６４Ｂ，折返し部６３Ｂから突出する受圧部６５Ｂ、及び、折返し部６３Ｂに設けられた係止部６６Ｂとを含んで構成されている。一対の折返し部６２Ｂ及び６３Ｂと連結部６４Ｂとは、それらの全体で弾性アーム部を形成しており、この弾性アーム部は、導電性シェル５４の上面部５７及び下面部６１を貫く方向である上下方向の弾性変位が可能とされていて、それから受圧部６５Ｂが突出しており、また、係止部６６Ｂを変位可能に支持している。
【０１０９】
一対の折返し部６２Ｂ及び６３Ｂの夫々は、所定の幅を有した帯状板体を成しており、折返し部６３Ｂが成す帯状板体の幅が折返し部６２Ｂが成す帯状板体の幅以下に選定されている。受圧部６５Ｂは、導電性シェル５４の長手方向、即ち、複数のコンタクト５３の配列方向となる方向に沿って傾斜する傾斜面部を形成している。さらに、係止部６６Ｂは、弾性アーム部を形成する折返し部６３Ｂから導電性シェル５４の上面部５７に向かって突出しており、弾性アーム部の変位に伴って上下方向に変位するものとされている。
【０１１０】
ロック部６０Ａの係止部６６Ａは、弾性アーム部を形成する折返し部６３Ａから導電性シェル５４の上面部５７に向かって立ち上がった突起を成しており、その端面部を、配線板状部材を成すフレキシブル印刷配線基板の板状部材差込み部５２を通じたハウジング５１への差込み方向となる方向に沿って上昇傾斜する傾斜面６７Ａを形成するものとしており、係止部６６Ａは、その傾斜面６７Ａを形成する部分を、板状部材差込み部５２を通じてハウジング５１に差し込まれた配線板状部材を成すフレキシブル印刷配線基板に設けられた係合部に係合させる。同様に、ロック部６０Ｂの係止部６６Ｂは、弾性アーム部を形成する折返し部６３Ｂから導電性シェル５４の上面部５７に向かって立ち上がった突起を成しており、その端面部を、配線板状部材を成すフレキシブル印刷配線基板の板状部材差込み部５２を通じたハウジング５１への差込み方向となる方向に沿って上昇傾斜する傾斜面６７Ｂを形成するものとしており、係止部６６Ｂは、その傾斜面６７Ｂを形成する部分を、板状部材差込み部５２を通じてハウジング５１に差し込まれた配線板状部材を成すフレキシブル印刷配線基板に設けられた係合部に係合させる。
【０１１１】
さらに、導電性シェル５４には、ハウジング５１の左側端面部の表面を覆うことになる左側面部６８Ａの背面側端部から、屈曲してハウジング５１の正面側端面部に向かうことになる方向に伸び、導電性シェル５４内におけるロック部６０Ａの近傍に配される弾性片部７０Ａと、ハウジング５１の右側端面部の表面を覆うことになる右側面部６８Ｂの背面側端部から、屈曲してハウジング５１の正面側端面部に向かうことになる方向に伸び、導電性シェル５４内におけるロック部６０Ｂの近傍に配される弾性片部７０Ｂとが設けられている。
【０１１２】
弾性片部７０Ａは、弾性を具えた屈曲片持板状部を成していて、その先端部分７１Ａがロック部６０Ａの近傍におけるハウジング５１の正面側端面部に対応することになる位置に配されて、後述されるロック解除部の操作部に係合するものとされており、同様に、弾性片部７０Ｂも、弾性を具えた屈曲片持板状部を成していて、その先端部分７１Ｂがロック部６０Ｂの近傍におけるハウジング５１の正面側端面部に対応することになる位置に配されて、後述されるロック解除部の操作部に係合するものとされている。これらの弾性片部７０Ａ及び７０Ｂの夫々は、導電性シェル５４の長手方向、即ち、複数のコンタクト５３の配列方向となる方向において弾性変位可能とされている。
【０１１３】
そして、弾性片部７０Ａは、その先端部分７１Ａが係合したロック解除部の操作部が、複数のコンタクト５３の配列方向に沿う方向に変位せしめられたとき、当該操作部に変位前の位置への復元に寄与する弾性力を作用させる。同様に、弾性片部７０Ｂも、その先端部分７１Ｂが係合したロック解除部の操作部が複数のコンタクト５３の配列方向に沿う方向に変位せしめられたとき、当該操作部に変位前の位置への復元に寄与する弾性力を作用させる。
【０１１４】
さらに加えて、導電性シェル５４におけるその左背面部５５Ａに対向する左正面側部分には、ハウジング５１の上方端面部の表面を覆うことになる導電性シェル５４の上面部５７における左端部から伸びて、ハウジング５１の正面側端面部における板状部材差込み部５２が設けられた部分の周囲部分に係合するものとされる、平板状を成すハウジング受部７５Ａが設けられている。同様に、導電性シェル５４におけるその右背面部５５Ｂに対向する右正面側部分には、ハウジング５１の上方端面部の表面を覆うことになる導電性シェル５４の上面部５７における右端部から伸びて、ハウジング５１の正面側端面部における板状部材差込み部５２が設けられた部分の周囲部分に係合するものとされる、平板状を成すハウジング受部７５Ｂが設けられている。
【０１１５】
図２０は、ハウジング５１を、複数のコンタクト５３が配列配置されていず、また、導電性シェル５４が装着されていない状態をもって単体で示す。
【０１１６】
図２０において、ハウジング５１には、その長手方向、即ち、複数のコンタクト５３の配列方向となる方向の両端部における、導電性シェル５４に形成されたロック部６０Ａ及び６０Ｂに夫々対応する部位に、ロック解除部８０Ａ及び８０Ｂが設けられている。これらのロック解除部８０Ａ及び８０Ｂは、板状部材差込み部５２を通じてハウジング５１に差し込まれた配線板状部材を成すフレキシブル印刷配線基板に対するロック部６０Ａ及び６０Ｂによる係止を解除すべく操作されるものとされている。
【０１１７】
ロック解除部８０Ａは、コネクタ装置５０の左方端部の内部構造を示す部分断面図である図２１にも示されるように、ハウジング５１における背面側端面部を形成する部分から伸びて、ハウジング５１の正面側端面部における板状部材差込み部５２が設けられた部分の周囲部分からハウジング５１外に突出する操作部８１Ａと、前述のコネクタ装置１０が備えるロック解除部３０Ａの操作部３１Ａの一端部から突出する押圧部３２Ａと同様にして、操作部８１Ａの一端部から突出する押圧部（図に現れていない。）とを有している。操作部８１Ａは、ハウジング５１の長手方向、即ち、複数のコンタクト５３の配列方向となる方向に変位可能とされて、ハウジング５１と一体的に形成されており、その変位方向における弾性を備えたものとされる。操作部８１Ａから突出する押圧部は、操作部８１Ａの一端部からハウジング５１の下方端面部に向かって突出していて、ロック部６０Ａにおける傾斜面部を形成する受圧部６５Ａに当接して係合するものとされている。そして、操作部８１Ａがハウジング５１の長手方向、即ち、複数のコンタクト５３の配列方向となる方向に変位せしめられるとき、それに伴って、操作部８１Ａから突出する押圧部が複数のコンタクト５３の配列方向となる方向に移動する。
【０１１８】
ロック解除部８０Ａの操作部８１Ａには、図２１に示されるように、溝状部８２Ａが形成されている。溝状部８２Ａは、導電性シェル５４に形成された弾性片部７０Ａの先端部分７１Ａが係合するものとされており、弾性片部７０Ａの先端部分７１Ａを受ける係合受け部を成している。
【０１１９】
また、ロック解除部８０Ｂは、ハウジング５１における背面側端面部を形成する部分から伸びて、ハウジング５１の正面側端面部における板状部材差込み部５２が設けられた部分の周囲部分からハウジング５１外に突出する操作部８１Ｂと、前述のコネクタ装置１０が備えるロック解除部３０Ｂの操作部３１Ｂの一端部から突出する押圧部３２Ｂと同様にして、操作部８１Ｂの一端部から突出する押圧部（図に現れていない。）とを有している。操作部８１Ｂは、ハウジング５１の長手方向、即ち、複数のコンタクト５３の配列方向となる方向に変位可能とされて、ハウジング５１と一体的に形成されており、その変位方向における弾性を備えたものとされる。操作部８１Ｂから突出する押圧部は、操作部８１Ｂの一端部からハウジング５１の下方端面部に向かって突出していて、ロック部６０Ｂにおける傾斜面部を形成する受圧部６５Ｂに当接して係合するものとされている。そして、操作部８１Ｂがハウジング５１の長手方向、即ち、複数のコンタクト５３の配列方向となる方向に変位せしめられるとき、それに伴って、操作部８１Ｂから突出する押圧部が複数のコンタクト５３の配列方向となる方向に移動する。
【０１２０】
ロック解除部８０Ａの操作部８１Ａと同様に、ロック解除部８０Ｂの操作部８１Ｂにも、図２０に示されるように、溝状部８２Ｂが形成されている。溝状部８２Ｂは、導電性シェル５４に形成された弾性片部７０Ｂの先端部分７１Ｂが係合するものとされており、弾性片部７０Ｂの先端部分７１Ｂを受ける係合受け部を成している。
【０１２１】
ハウジング５１には、その正面側端面部の板状部材差込み部５２が設けられた部分の周囲部分におけるロック解除部８０Ａの操作部８１Ａの近傍となる位置に、操作部８１Ａの複数のコンタクト５３の配列方向となる方向の変位を規制する変位規制部８５Ａが、ハウジング５１外に突出するものとして設けられている。また、ハウジング５１の正面側端面部の板状部材差込み部５２が設けられた部分の周囲部分におけるロック解除部８０Ｂの操作部８１Ｂの近傍となる位置にも、操作部８１Ｂの複数のコンタク５３の配列方向となる方向の変位を規制する変位規制部８５Ｂが、ハウジング５１外に突出するものとして設けられている。
【０１２２】
また、ハウジング５１には、図１６に示されるように、その正面側端面部の板状部材差込み部５２が設けられた部分の周囲部分におけるロック解除部８０Ａの操作部８１Ａの上方となる部位に、導電性シェル５４に設けられたハウジング受部７５Ａに当接して係合する当接係合部８６Ａが設けられており、また、その正面側端面部の板状部材差込み部５２が設けられた部分の周囲部分におけるロック解除部８０Ｂの操作部８１Ｂの上方となる部位に、導電性シェル５４に設けられたハウジング受部７５Ｂに当接して係合する当接係合部８６Ｂが設けられている。
【０１２３】
さらに、ハウジング５１には、その正面側端面部の板状部材差込み部５２が設けられた部分に、配線板状部材を成すフレキシブル印刷配線基板が板状部材差込み部５２を通じて差し込まれたとき、差し込まれたフレキシブル印刷配線基板が正規の差込み位置に到達している状態にあるか否かを点検するための一対の板状部材点検部８７Ａ及び８７Ｂが、各々が縦溝部を成すものとして、設けられている。
【０１２４】
上述のハウジング５１に、複数のコンタクト５３が配列配置されて配されるとともに、導電性シェル５４がハウジング５１の表面を部分的に覆う状態をもって装着されたもとにあっては、図２１に示されるように、導電性シェル５４に形成された弾性片部７０Ａの先端部分７１Ａが、ハウジング５１に設けられたロック解除部８０Ａの操作部８１Ａに形成された溝状部８２Ａに係合し、また、同様に、導電性シェル５４に形成された弾性片部７０Ｂの先端部分７１Ｂが、ハウジング５１に設けられたロック解除部８０Ｂの操作部８１Ｂに形成された溝状部８２Ｂに係合する。それにより、ロック解除部８０Ａの操作部８１Ａが操作されるときには、操作部８１Ａが弾性片部７０Ａを伴って複数のコンタク５３の配列方向に沿って変位し、ロック解除部８０Ａの操作部８１Ａが複数のコンタクト５３の配列方向に沿う方向に変位せしめられたときには，弾性片部７０Ａが操作部８１Ａに変位前の位置への復元に寄与する弾性力を作用させる。また、ロック解除部８０Ｂの操作部８１Ｂが操作されるときには、操作部８１Ｂが弾性片部７０Ｂを伴って複数のコンタク５３の配列方向に沿って変位し、ロック解除部８０Ｂの操作部８１Ｂが複数のコンタクト５３の配列方向に沿う方向に変位せしめられたときには、弾性片部７０Ｂが操作部８１Ｂに変位前の位置への復元に寄与する弾性力を作用させる。  
【０１２５】
このようなもとで、ハウジング５１に設けられたロック解除部８０Ａは、その操作部８１Ａに操作が加えられていないときには、操作部８１Ａが図１６に示される位置をとるものとされる。このとき、ロック解除部８０Ａの操作部８１Ａから突出する押圧部は、ロック部６０Ａの受圧部６５Ａが形成する傾斜面部にその上方から軽く当接している。
【０１２６】
操作部８１Ａが図１６に示される位置をとるとき、操作部８１Ａに、それを変位規制部８５Ａに近接させる向きをもって複数のコンタクト５３の配列方向に沿う方向に変位させる操作が加えられると、操作部８１Ａが、弾性片部７０Ａを伴って、複数のコンタクト５３の配列方向に沿う方向に弾性変位せしめられて、例えば、変位規制部８５Ａに当接する位置をとる。それにより、操作部８１Ａの更なる変位は、変位規制部８５Ａによって規制される。
【０１２７】
そして、斯かる操作部８１Ａの弾性変位に伴って、操作部８１Ａから突出する押圧部が、ロック部６０Ａの受圧部６５Ａが形成する傾斜面部を押圧しつつ複数のコンタクト５３の配列方向に移動する。それにより、ロック部６０Ａの受圧部６５Ａが、ロック部６０Ａの弾性アーム部に弾性変形を生じさせて、複数のコンタクト５３の配列方向に直交する方向である下方に変位し、それに伴って、ロック部６０Ａの係止部６６Ａが下方に変位する。その後、操作部８１Ａに対する操作が加えられなくなると、操作部８１Ａが自らの弾性と弾性アーム部の弾性と弾性片部７０Ａの弾性とによって、図１６に示される位置に戻り、それに伴い、ロック部６０Ａの弾性アーム部の復元弾性変形によって、ロック部６０Ａの受圧部６５Ａ及び係止部６６Ａが、上方に変位せしめられて、元の位置に戻される。斯かる際、操作部８１Ａの図１６に示される位置への復元は、操作部８１Ａにその変位前の位置への復元に寄与する弾性力が弾性片部７０Ａによって加えられることにより、迅速かつ確実に行われる。
【０１２８】
ハウジング５１に設けられたロック解除部８０Ｂも、ロック解除部８０Ａと同様であり、その操作部８１Ｂに操作が加えられていないときには、操作部８１Ｂが図１６に示される位置をとるものとされる。このとき、ロック解除部８０Ｂの操作部８１Ｂから突出する押圧部は、ロック部６０Ｂの受圧部６５Ｂが形成する傾斜面部にその上方から軽く当接している。
【０１２９】
操作部８１Ｂが図１６に示される位置をとるとき、操作部８１Ｂに、それを変位規制部８５Ｂに近接させる向きをもって複数のコンタクト５３の配列方向に沿う方向に変位させる操作が加えられると、操作部８１Ｂが、弾性片部７０Ｂを伴って、複数のコンタクト５３の配列方向に沿う方向に弾性変位せしめられて、例えば、変位規制部８５Ｂに当接する位置をとる。それにより、操作部８１Ｂの更なる変位は、変位規制部８５Ｂによって規制される。
【０１３０】
そして、斯かる操作部８１Ｂの弾性変位に伴って、操作部８１Ｂから突出する押圧部が、ロック部６０Ｂの受圧部６５Ｂが形成する傾斜面部を押圧しつつ複数のコンタクト５３の配列方向に移動する。それにより、ロック部６０Ｂの受圧部６５Ｂが、ロック部６０Ｂの弾性アーム部に弾性変形を生じさせて、複数のコンタクト５３の配列方向に直交する方向である下方に変位し、それに伴って、ロック部６０Ｂの係止部６６Ｂが下方に変位する。その後、操作部８１Ｂに対する操作が加えられなくなると、操作部８１Ｂが自らの弾性と弾性アーム部の弾性と弾性片部７０Ｂの弾性とによって、図１６に示される位置に戻り、それに伴い、ロック部６０Ｂの弾性アーム部の復元弾性変形によって、ロック部６０Ｂの受圧部６５Ｂ及び係止部６６Ｂが、上方に変位せしめられて元の位置に戻される。斯かる際、操作部８１Ｂの図１６に示される位置への復元は、操作部８１Ｂにその変位前の位置への復元に寄与する弾性力が弾性片部７０Ｂによって加えられることにより、迅速かつ確実に行われる。
【０１３１】
上述のように、コネクタ装置５０にあっては、そのハウジング５１及びそれを覆う導電性シェル５４の各々の長手方向である複数のコンタクト５３の配列方向の両端部に、一対のロック部６０Ａ及び６０Ｂと一対の弾性片部７０Ａ及び７０Ｂと一対のロック解除部８０Ａ及び８０Ｂとが設けられているのである。
【０１３２】
このような、コネクタ装置５０にあっては、そのハウジング５１に、例えば、前述の図１２に示される、配線板状部材を成すフレキシブル印刷配線基板の一例であるフレキシブル印刷配線基板４０が、コネクタ装置１０のハウジング１１に板状部材差込み部１２を通じて差し込まれる場合と同様にして、ハウジング５１に設けられた板状部材差込み部５２を通じて差し込まれる。
【０１３３】
フレキシブル印刷配線基板４０がコネクタ装置５０のハウジング５１に板状部材差込み部５２を通じて差し込まれる際には、コネクタ装置５０に設けられたロック部６０Ａを構成する折返し部６２Ａ及び６３Ａ，連結部６４Ａ，受圧部６５Ａ，係止部６６Ａ及び傾斜面６７Ａが、前述のフレキシブル印刷配線基板４０がコネクタ装置１０のハウジング１１に板状部材差込み部１２を通じて差し込まれる際におけるコネクタ装置１０に設けられたロック部２０Ａを構成する折返し部２２Ａ及び２３Ａ，連結部２４Ａ，受圧部２５Ａ，係止部２６Ａ及び傾斜面２７Ａの働きと同様の働きをし、また、コネクタ装置５０に設けられたロック部６０Ｂを構成する折返し部６２Ｂ及び６３Ｂ，連結部６４Ｂ，受圧部６５Ｂ，係止部６６Ｂ及び傾斜面６７Ｂが、前述のフレキシブル印刷配線基板４０がコネクタ装置１０のハウジング１１に板状部材差込み部１２を通じて差し込まれる際におけるコネクタ装置１０に設けられたロック部２０Ｂを構成する折返し部２２Ｂ及び２３Ｂ，連結部２４Ｂ，受圧部２５Ｂ，係止部２６Ｂ及び傾斜面２７Ｂの働きと同様の働きをする。それにより、ロック部６０Ａの係止部６６Ａにおける傾斜面６７Ａを形成する部分が、フレキシブル印刷配線基板４０に形成された係合部４３Ａに係合するとともに、ロック部６０Ｂの係止部６６Ｂにおける傾斜面６７Ｂを形成する部分が、フレキシブル印刷配線基板４０に形成された係合部４３Ｂに係合し、フレキシブル印刷配線基板４０がロック部６０Ａ及び６０Ｂによって係止された状態におかれる。それにより、フレキシブル印刷配線基板４０のハウジング５１からの不所望な抜脱が防止される。
【０１３４】
フレキシブル印刷配線基板４０がコネクタ装置５０における正規の差込み位置に到達している状態にあるときには、コネクタ装置５０の上方から見て、ハウジング５１の正面側端面部の板状部材差込み部５２が設けられた部分に形成された板状部材点検部８７Ａ及び８７Ｂの夫々を通して、ハウジング５１に板状部材差込み部５２を通じて差し込まれたフレキシブル印刷配線基板４０における係合部４３Ａあるいは係合部４３Ｂを認めることができない。それにより、フレキシブル印刷配線基板４０が、正規の差込み位置に到達している状態にあることを確認することができる。仮に、板状部材点検部８７Ａ及び８７Ｂのうちの一方もしくは双方を通して、ハウジング５１に板状部材差込み部５２を通じて差し込まれたフレキシブル印刷配線基板４０における係合部４３Ａ及び４３Ｂのうちの一方もしくは双方を認めることができるとすれば、フレキシブル印刷配線基板４０が、正規の差込み位置に到達している状態にはないことになる。
【０１３５】
このようにして、フレキシブル印刷配線基板４０がハウジング５１への板状部材差込み部５２を通じての差込を完了して正規の差込み位置をとるもとにおいては、導電性シェル５４の帯状背面部５６からハウジング５１内に伸びる複数の接地用コンタクト５８が、ハウジング５１に差し込まれたフレキシブル印刷配線基板４０の表側の面に配された接地接続部４２に、導電性シェル５４の上面部５７側から弾性当接して接触接続される。それにより、ハウジング５１に差し込まれたフレキシブル印刷配線基板４０における接地接続部４２が、複数の接地用コンタクト５８を介して、ハウジング５１が配された配線基板に設けられた接地端子に連結される。
【０１３６】
また、それとともに、ハウジング５１内に配列配置された複数のコンタクト５３が、ハウジング５１に差し込まれたフレキシブル印刷配線基板４０の裏側の面に配列配置された複数の接続端子部４１に、導電性シェル５４の下面部６１側から夫々弾性当接して接触接続される。それにより、ハウジング５１に差し込まれたフレキシブル印刷配線基板４０における複数の接続端子部４１が、複数のコンタクト５３を介して、ハウジング５１が配された配線基板に設けられた配線端子に連結される。
【０１３７】
そして、このとき、ハウジング５１に設けられたロック解除部８０Ａは、その操作部８１Ａが図１６に示される位置をとり、操作部８１Ａから突出する押圧部がロック部６０Ａの受圧部６５Ａが形成する傾斜面部にその上方から軽く当接している状態におかれる。また、ハウジング５１に設けられたロック解除部８０Ｂは、その操作部８１Ｂが図１６に示される位置をとり、操作部８１Ｂから突出する押圧部がロック部６０Ｂの受圧部６５Ｂが形成する傾斜面部にその上方から軽く当接している状態におかれる。
【０１３８】
その後、ロック解除部８０Ａの操作部８１Ａに、それを変位規制部８５Ａに近接させる向きをもって複数のコンタクト５３の配列方向に沿う方向に変位させる操作が加えられると、操作部８１Ａが、導電性シェル５４に形成された弾性片部７０Ａを伴って、複数のコンタクト５３の配列方向に沿う方向に弾性変位せしめられ、それにより、ロック部６０Ａが、コネクタ装置１０においてロック部２０Ａがフレキシブル印刷配線基板４０に対する係止を解除する動作と同様の動作を行って、フレキシブル印刷配線基板４０に対する係止を解除する。また、ロック解除部８０Ｂの操作部８１Ｂに、それを変位規制部８５Ｂに近接させる向きをもって複数のコンタクト５３の配列方向に沿う方向に変位させる操作が加えられると、操作部８１Ｂが、導電性シェル５４に形成された弾性片部７０Ｂを伴って、複数のコンタクト５３の配列方向に沿う方向に弾性変位せしめられ、それにより、ロック部６０Ｂが、コネクタ装置１０においてロック部２０Ｂがフレキシブル印刷配線基板４０に対する係止を解除する動作と同様の動作を行って、フレキシブル印刷配線基板４０に対する係止を解除する。  
【０１３９】
斯かる際、ロック部６０Ａの弾性アーム部を形成する一対の折返し部６２Ａ及び６３Ａについて、受圧部６５Ａ及び係止部６６Ａが設けられた折返し部６３Ａが成す帯状板体の幅が、受圧部６５Ａ及び係止部６６Ａが設けられていない折返し部６２Ａが成す帯状板体の幅以下に選定されているので、折返し部６３Ａの剛性が折返し部６２Ａの剛性以下とされ、ロック解除部８０Ａの操作部８１Ａから突出する押圧部により折返し部６３Ａに設けられた受圧部６５Ａが形成する傾斜面部が下方に押圧されることによる係止部６６Ａの下方への変位が、容易かつ確実に行われることになる。また、ロック部６０Ｂの弾性アーム部を形成する一対の折返し部６２Ｂ及び６３Ｂについても、受圧部６５Ｂ及び係止部６６Ｂが設けられた折返し部６３Ｂが成す帯状板体の幅が、受圧部６５Ｂ及び係止部６６Ｂが設けられていない折返し部６２Ｂが成す帯状板体の幅以下に選定されているので、折返し部６３Ｂの剛性が折返し部６２Ｂの剛性以下とされ、ロック解除部８０Ｂの操作部８１Ｂから突出する押圧部により折返し部６３Ｂに設けられた受圧部６５Ｂが形成する傾斜面部が下方に押圧されることによる係止部６６Ｂの下方への変位が、容易かつ確実に行われることになる。
【０１４０】
このとき、ロック解除部８０Ａの操作部８１Ａから突出する押圧部は、ロック部６０Ａの受圧部６５Ａからの上方に向かう反力を受け、その反力が、操作部８１Ａを通じてハウジング５１の上面部側へと伝達される。斯かる操作部８１Ａを通じたロック部６０Ａの受圧部６５Ａからの反力は、ハウジング５１に形成された当接係合部８６Ａが当接して係合する、導電性シェル５４に設けられたハウジング受部７５Ａにより受けられて吸収され、導電性シェル５４あるいはハウジング５１に部分的変形等が生じる事態が回避される。
【０１４１】
また、ロック解除部８０Ｂの操作部８１Ｂから突出する押圧部も、ロック部６０Ｂの受圧部６５Ｂからの上方に向かう反力を受け、その反力が、操作部８１Ｂを通じてハウジング５１の上面部側へと伝達される。斯かる操作部８１Ｂを通じたロック部６０Ｂの受圧部６５Ｂからの反力は、ハウジング５１に形成された当接係合部８６Ｂが当接して係合する、導電性シェル５４に設けられたハウジング受部７５Ｂにより受けられて吸収され、導電性シェル５４あるいはハウジング５１に部分的変形等が生じる事態が回避される。
【０１４２】
なお、導電性シェル５４に設けられたハウジング受部７５Ａは、ロック解除部８０Ａの操作部８１Ａが複数のコンタクト５３の配列方向に沿う方向に変位せしめられる際に、操作部８１Ａに対する案内部材としての役割も果たし、また、導電性シェル５４に設けられたハウジング受部７５Ｂは、ロック解除部８０Ｂの操作部８１Ｂが複数のコンタクト５３の配列方向に沿う方向に変位せしめられる際に、操作部８１Ｂに対する案内部材としての役割も果たす。
【０１４３】
上述のようにして、ロック解除部８０Ａの操作部８１Ａに操作が加えられることにより、ロック部６０Ａの係止部６６Ａが下方に変位して、フレキシブル印刷配線基板４０における係合部４３Ａに係合しなくなり、フレキシブル印刷配線基板４０に対する係止を解除するとともに、ロック解除部８０Ｂの操作部８１Ｂに操作が加えられることにより、ロック部６０Ｂの係止部６６Ｂが下方に変位して、フレキシブル印刷配線基板４０における係合部４３Ｂに係合しなくなり、フレキシブル印刷配線基板４０に対する係止を解除すると、それにより、ハウジング５１に差し込まれたフレキシブル印刷配線基板４０が、ハウジング５１から適正に抜脱され得る状態におかれる。
【０１４４】
フレキシブル印刷配線基板４０における一対の係合部４３Ａ及び４３Ｂが、一対の切欠き部に代えて、一対の係合孔を形成するものとされる場合にも、上述と同様にして、フレキシブル印刷配線基板４０に対するロック部６０Ａ及び６０Ｂによる係止、及び、ロック解除部８０Ａ及び８０Ｂを用いてのロック部６０Ａ及び６０Ｂによる係止の解除が行われる。
【０１４５】
そして、ロック解除部８０Ａの操作部８１Ａに対する操作が加えられなくなると、操作部８１Ａが自らの弾性と弾性アーム部の弾性と導電性シェル５４に形成された弾性片部７０Ａの弾性とによって元の位置に戻り、それに伴い、ロック部６０Ａの弾性アーム部の復元弾性変形によって、ロック部６０Ａの受圧部６５Ａ及び係止部６６Ａが上方に変位せしめられて、元の位置に戻され、また、ロック解除部８０Ｂの操作部８１Ｂに対する操作が加えられなくなると、操作部８１Ｂが自らの弾性と弾性アーム部の弾性と導電性シェル５４に形成された弾性片部７０Ｂの弾性とによって元の位置に戻り、それに伴い、ロック部６０Ｂの弾性アーム部の復元弾性変形によって、ロック部６０Ｂの受圧部６５Ｂ及び係止部６６Ｂが上方に変位せしめられて、元の位置に戻される。
【０１４６】
上述のようなコネクタ装置５０が用いられてそれにおけるハウジング５１に配線板状部材を成すフレキシブル印刷配線基板４０が差し込まれるもとにあっては、コネクタ装置１０が用いられてそれにおけるハウジング１１に配線板状部材を成すフレキシブル印刷配線基板４０が差し込まれるもとにおいて得られる前述の作用効果と同様な作用効果が得られるとともに、導電性シェル５４に、導電性シェル５４内へと突出してロック解除部８０Ａの操作部８１Ａ及びロック解除部８０Ｂの操作部８１Ｂに夫々係合する弾性片部７０Ａ及び７０Ｂが形成されて、弾性片部７０Ａが、ロック解除部８０Ａの操作部８１Ａが複数のコンタクト５３の配列方向に沿う方向に変位せしめられたとき、ロック解除部８０Ａの操作部８１Ａにその変位前の位置への復元に寄与する弾性力を作用させるものとされ、また、弾性片部７０Ｂが、ロック解除部８０Ｂの操作部８１Ｂが複数のコンタクト５３の配列方向に沿う方向に変位せしめられたとき、ロック解除部８０Ｂの操作部８１Ｂにその変位前の位置への復元に寄与する弾性力を作用させるものとされることにより、ロック解除部８０Ａの操作部８１Ａ及びロック解除部８０Ｂの操作部８１Ｂの夫々の変位後における元の位置への復元が、より一層迅速かつ確実に行われることになる。
【産業上の利用可能性】
【０１４７】
以上のような本願発明に係るコネクタ装置は、例えば、フレキシブル印刷配線基板等とされる配線板状部材の他の配線基板への取付けに用いられる、板状部材差込み部が設けられたハウジングと、ハウジングに配列配置されて設けられる複数のコンタクトと、ハウジングを部分的に覆う導電性シェルとを備えたコネクタ装置であって、部品点数を比較的少として製造コストの低減を図ることができ、さらに、厚み方向の寸法の低減を十分に図ることができ、しかも、他の配線基板に固定されたもとで、その上方に下方への押圧操作のためのスペースの確保を必要とすることなく、ハウジングに板状部材差込み部を通じて差し込まれた配線板状部材に対するハウジングからの不所望な抜脱を阻止するための係止及びその係止の解除を、確実に行えるものとして、様々な電子機器等に広く適用され得るものである。
【符号の説明】
【０１４８】
１０，５０・・・コネクタ装置，  １１，５１・・・ハウジング，  １２，５２・・・板状部材差込み部，  １３，５３・・・コンタクト，  １４，５４・・・導電性シェル，  １５Ａ，５５Ａ・・・（導電性シェル１４，５４の）左背面部，  １５Ｂ，５５Ｂ・・・（導電性シェル１４，５４の）右背面部，  １７，５６・・・（導電性シェル１４，５４の）帯状背面部，  １８，５７・・・（導電性シェル１４，５４の）上面部，  １９，５８・・・接地用コンタクト，  ２０Ａ，２０Ｂ，６０Ａ，６０Ｂ・・・ロック部，  ２１，６１・・・（導電性シェル１４，５４の）下面部，  ２２Ａ，２２Ｂ，２３Ａ，２３Ｂ，６２Ａ，６２Ｂ，６３Ａ，６３Ｂ・・・折返し部，  ２４Ａ，２４Ｂ，６４Ａ，６４Ｂ・・・連結部，  ２５Ａ，２５Ｂ，６５Ａ，６５Ｂ・・・受圧部，  ２６Ａ，２６Ｂ，６６Ａ，６６Ｂ・・・係止部，  ２７Ａ，２７Ｂ，６７Ａ，６７Ｂ・・・傾斜面，  ２８Ａ，２８Ｂ，７５Ａ，７５Ｂ・・・ハウジング受部，  ３０Ａ，３０Ｂ，８０Ａ，８０Ｂ・・・ロック解除部，  ３１Ａ，３１Ｂ，８１Ａ，８１Ｂ・・・操作部，  ３２Ａ，３２Ｂ・・・押圧部，  ３３Ａ，３３Ｂ，８５Ａ，８５Ｂ・・・変位規制部，  ３４Ａ，３４Ｂ，８６Ａ，８６Ｂ・・・当接係合部，  ３８Ａ，３８Ｂ，８７Ａ，８７Ｂ・・・板状部材点検部，  ４０・・・フレキシブル印刷配線基板，  ４１・・・接続端子部，  ４２・・・接地接続部，  ４３Ａ，４３Ｂ・・・係合部，  ４４Ａ，４４Ｂ・・・先端平板部，  ４５・・・カバーフィルム,   ６８Ａ・・・左側面部，  ６８Ｂ・・・右側面部，  ７０Ａ，７０Ｂ・・・弾性片部、  ７１Ａ，７１Ｂ・・・（弾性片部７０Ａ，７０Ｂの）先端部分
【図１】
0005920568.tif 000002
【図２】
0005920568.tif 000003
【図３】
0005920568.tif 000004
【図４】
0005920568.tif 000005
【図５】
0005920568.tif 000006
【図６】
0005920568.tif 000007
【図７】
0005920568.tif 000008
【図８】
0005920568.tif 000009
【図９】
0005920568.tif 000010
【図１０】
0005920568.tif 000011
【図１１】
0005920568.tif 000012
【図１２】
0005920568.tif 000013
【図１３】
0005920568.tif 000014
【図１４】
0005920568.tif 000015
【図１５】
0005920568.tif 000016
【図１６】
0005920568.tif 000017
【図１７】
0005920568.tif 000018
【図１８】
0005920568.tif 000019
【図１９】
0005920568.tif 000020
【図２０】
0005920568.tif 000021
【図２１】
0005920568.tif 000022